(57)【特許請求の範囲】
【請求項１】
受信デバイスにおけるワイヤレス通信のための方法において、
共用無線周波数スペクトル帯域を通して、送信デバイスによって送られる、第１のワイヤレスローカルエリアネットワーク（ＷＬＡＮ）プロトコルデータユニットの第１の物理層ヘッダを受信し、前記第１の物理層ヘッダは、少なくとも、カラーフィールドの値と、第１のデバイス識別子またはアップリンク／ダウンリンクインジケータのうちの少なくとも１つとを含み、前記カラーフィールドの値は、基本サービスセット（ＢＳＳ）の第１の識別子を示し、前記カラーフィールドの値は、前記送信デバイスによって選択されることと、
ＢＳＳの第２の識別子を、前記ＢＳＳの第１の識別子と比較することと、
前記比較と、前記第１のデバイス識別子または前記アップリンク／ダウンリンクインジケータのうちの少なくとも１つとに少なくとも部分的に基づいて、フレーム内動作を実行するか否かを決定し、前記フレーム内動作を実行するとの決定に基づいて、前記フレーム内動作を実行することとを含み、
前記ＢＳＳの第２の識別子は、前記受信デバイスによって使用されるＢＳＳを識別し、
前記フレーム内動作は、電力節約動作、受信フィルタリング動作、または、統計収集動作である方法。
【請求項２】
第２のデバイス識別子を、前記第１のデバイス識別子と比較することをさらに含み、
前記フレーム内動作は、前記ＢＳＳの第２の識別子が前記ＢＳＳの第１の識別子と合致することと、前記第２のデバイス識別子が前記第１のデバイス識別子と合致しないこととに少なくとも部分的に基づいて実行される請求項１記載の方法。
【請求項３】
ブロードキャスト／マルチキャスト関連識別子（ＡＩＤ）を、前記第１のデバイス識別子と比較することをさらに含み、
前記フレーム内動作は、さらに、前記ブロードキャスト／マルチキャストＡＩＤが前記第１のデバイス識別子と合致しないことに少なくとも部分的に基づいて実行される請求項２記載の方法。
【請求項４】
前記フレーム内動作は、前記受信フィルタリング動作であり、
前記受信フィルタリング動作を実行することは、前記第１のＷＬＡＮプロトコルデータユニットの復号を中止することを含む請求項３記載の方法。
【請求項５】
前記フレーム内動作は、前記受信フィルタリング動作であり、
前記受信フィルタリング動作を実行することは、前記第１のＷＬＡＮプロトコルデータユニットの復号を中止することを含む請求項２記載の方法。
【請求項６】
前記共用無線周波数スペクトル帯域を通して、前記第１のＷＬＡＮプロトコルデータユニットの送信の間、および、前記第１のＷＬＡＮプロトコルデータユニットの復号の中止後、第２のＷＬＡＮプロトコルデータユニットの第２の物理層ヘッダを受信することをさらに含む請求項５記載の方法。
【請求項７】
前記フレーム内動作は、前記電力節約動作であり、前記電力節約動作を実行することは、前記第１のＷＬＡＮプロトコルデータユニットの残りに対して、ドーズ状態に入ることを含む請求項２記載の方法。
【請求項８】
前記第１のデバイス識別子は、部分的基本サービスセット識別子（ＢＳＳＩＤ）で排他的ＯＲされた（ＸＯＲされた）、前記第１のＷＬＡＮプロトコルデータユニットの意図された局受信者の部分的関連識別子（ＡＩＤ）を含む請求項１記載の方法。
【請求項９】
前記第１のデバイス識別子は、前記第１のＷＬＡＮプロトコルデータユニットの意図されたアクセスポイント（ＡＰ）受信者の部分的ＢＳＳＩＤを含む請求項１記載の方法。
【請求項１０】
前記第１の物理層ヘッダを受信することは、
第１のＷＬＡＮシグナリングフィールドにおいて前記ＢＳＳの第１の識別子を受信することと、
第２のＷＬＡＮシグナリングフィールドにおいて前記第１のデバイス識別子を受信することとを含み、
前記第１のＷＬＡＮシグナリングフィールドおよび前記第２のＷＬＡＮシグナリングフィールドは、別々に符号化されている請求項１記載の方法。
【請求項１１】
第２のデバイス識別子を、前記第１のデバイス識別子と比較することをさらに含み、
前記フレーム内動作は、前記受信フィルタリング動作であり、
前記受信フィルタリング動作を実行することは、前記ＢＳＳの第２の識別子が前記ＢＳＳの第１の識別子と合致しないことと、前記第２のデバイス識別子が前記第１のデバイス識別子と合致することとに少なくとも部分的に基づいて、前記第１のＷＬＡＮプロトコルデータユニットの復号を中止することを含む請求項１記載の方法。
【請求項１２】
前記フレーム内動作は、前記受信フィルタリング動作であり、
前記方法は、ブロードキャスト／マルチキャストＡＩＤを、前記第１のデバイス識別子と比較することをさらに含み、
前記受信フィルタリング動作を実行することは、前記ＢＳＳの第２の識別子が前記ＢＳＳの第１の識別子と合致しないことと、第２のデバイス識別子が前記第１のデバイス識別子と合致することと、前記ブロードキャスト／マルチキャストＡＩＤが前記第１のデバイス識別子と合致しないこととに少なくとも部分的に基づいて、前記第１のＷＬＡＮプロトコルデータユニットの復号を中止することを含む請求項１記載の方法。
【請求項１３】
前記アップリンク／ダウンリンクインジケータに少なくとも部分的に基づいて、前記第１のデバイス識別子が、前記受信デバイスに関係する第１のデバイス関連識別子（ＡＩＤ）であるとの決定をすることをさらに含む請求項１記載の方法。
【請求項１４】
前記第１のデバイス識別子は、前記送信デバイスに関係する第１のデバイス関連識別子（ＡＩＤ）である請求項１記載の方法。
【請求項１５】
前記アップリンク／ダウンリンクインジケータは、前記第１のＷＬＡＮプロトコルデータユニットが、アップリンク通信のためのものか、または、ダウンリンク通信のためのものかを識別するインジケータであり、
前記アップリンク／ダウンリンクインジケータは、前記第１のデバイス識別子が、前記受信デバイスのためのものか、または、送信デバイスのためのものであるかをさらに識別する請求項１記載の方法。
【請求項１６】
前記アップリンク／ダウンリンクインジケータに少なくとも部分的に基づいて、前記第１のデバイス識別子が、前記送信デバイスに関係する第１のデバイス関連識別子（ＡＩＤ）であるとの決定をすることをさらに含む請求項１記載の方法。
【請求項１７】
第２のデバイス識別子を、前記第１のデバイス識別子と比較することをさらに含み、
前記フレーム内動作は、前記ＢＳＳの第２の識別子が前記ＢＳＳの第１の識別子と合致することと、前記第２のデバイス識別子が前記第１のデバイス識別子と合致することとに少なくとも部分的に基づいて実行される請求項１記載の方法。
【請求項１８】
受信デバイスにおけるワイヤレス通信のための装置において、
共用無線周波数スペクトル帯域を通して、送信デバイスによって送られる、第１のワイヤレスローカルエリアネットワーク（ＷＬＡＮ）プロトコルデータユニットの第１の物理層ヘッダを受信し、前記第１の物理層ヘッダは、少なくとも、カラーフィールドの値と、第１のデバイス識別子またはアップリンク／ダウンリンクインジケータのうちの少なくとも１つとを含み、前記カラーフィールドの値は、基本サービスセット（ＢＳＳ）の第１の識別子を示し、前記カラーフィールドの値は、前記送信デバイスによって選択される物理層ヘッダプロセッサと、
前記ＢＳＳの第２の識別子を前記ＢＳＳの第１の識別子と比較するＢＳＳ識別器と、
前記比較と、前記第１のデバイス識別子または前記アップリンク／ダウンリンクインジケータのうちの少なくとも１つとに少なくとも部分的に基づいて、フレーム内動作を実行するか否かを決定し、前記フレーム内動作を実行するとの決定に基づいて、前記フレーム内動作を実行するフレーム内動作マネージャとを具備し、
前記ＢＳＳの第２の識別子は、前記受信デバイスによって使用されるＢＳＳを識別し、
前記フレーム内動作は、電力節約動作、受信フィルタリング動作、または、統計収集動作である装置。
【請求項１９】
第２のデバイス識別子を、前記第１のデバイス識別子と比較するデバイス識別器をさらに具備し、
前記ＢＳＳの第２の識別子が前記ＢＳＳの第１の識別子と合致することと、前記第２のデバイス識別子が前記第１のデバイス識別子と合致しないこととに少なくとも部分的に基づいて、前記フレーム内動作マネージャが、前記フレーム内動作を実行する請求項１８記載の装置。
【請求項２０】
ブロードキャスト／マルチキャスト関連識別子（ＡＩＤ）を、前記第１のデバイス識別子と比較するブロードキャスト／マルチキャスト識別器をさらに具備し、
前記ブロードキャスト／マルチキャストＡＩＤが前記第１のデバイス識別子と合致しないことに少なくとも部分的に基づいて、前記フレーム内動作マネージャは、前記フレーム内動作を実行する請求項１９記載の装置。
【請求項２１】
前記フレーム内動作は、前記受信フィルタリング動作であり、
前記フレーム内動作マネージャは、前記第１のＷＬＡＮプロトコルデータユニットの復号を中止することによって、前記受信フィルタリング動作を実行する請求項２０記載の装置。
【請求項２２】
前記フレーム内動作は、前記受信フィルタリング動作であり、
前記フレーム内動作マネージャは、前記第１のＷＬＡＮプロトコルデータユニットの復号を中止することによって、前記受信フィルタリング動作を実行する請求項１９記載の装置。
【請求項２３】
前記物理層ヘッダプロセッサは、前記共用無線周波数スペクトル帯域を通して、前記第１のＷＬＡＮプロトコルデータユニットの送信の間、および、前記第１のＷＬＡＮプロトコルデータユニットの復号の中止後、第２のＷＬＡＮプロトコルデータユニットの第２の物理層ヘッダを受信する請求項２２記載の装置。
【請求項２４】
前記フレーム内動作は、前記電力節約動作であり、
前記電力節約動作を実行することは、前記第１のＷＬＡＮプロトコルデータユニットの残りに対して、ドーズ状態に入ることを含む請求項１９記載の装置。
【請求項２５】
前記第１のデバイス識別子は、部分的基本サービスセット識別子（ＢＳＳＩＤ）で排他的ＯＲされた（ＸＯＲされた）、前記第１のＷＬＡＮプロトコルデータユニットの意図された局受信者の部分的関連識別子（ＡＩＤ）を含む請求項１８記載の装置。
【請求項２６】
前記第１のデバイス識別子は、前記第１のＷＬＡＮプロトコルデータユニットの意図されたアクセスポイント（ＡＰ）受信者の部分的ＢＳＳＩＤを含む請求項１８記載の装置。
【請求項２７】
前記物理層ヘッダプロセッサは、
第１のＷＬＡＮシグナリングフィールドにおいて第１のＢＳＳ識別子を受信することと、
第２のＷＬＡＮシグナリングフィールドにおいて前記第１のデバイス識別子を受信することとによって、前記第１の物理層ヘッダを受信し、
前記第１のＷＬＡＮシグナリングフィールドおよび前記第２のＷＬＡＮシグナリングフィールドは、別々に符号化されている請求項１８記載の装置。
【請求項２８】
前記第１のデバイス識別子は、第１のデバイス関連識別子（ＡＩＤ）であり、前記第２のデバイス識別子は、第２のＡＩＤである請求項１９記載の装置。
【請求項２９】
前記アップリンク／ダウンリンクインジケータは、前記第１のＷＬＡＮプロトコルデータユニットが、アップリンク通信のためのものか、または、ダウンリンク通信のためのものかを識別するインジケータである請求項１８記載の装置。
【請求項３０】
受信デバイスにおけるワイヤレス通信のための装置において、
共用無線周波数スペクトル帯域を通して、送信デバイスによって送られる、第１のワイヤレスローカルエリアネットワーク（ＷＬＡＮ）プロトコルデータユニットの第１の物理層ヘッダを受信し、前記第１の物理層ヘッダは、少なくとも、カラーフィールドの値と、第１のデバイス識別子またはアップリンク／ダウンリンクインジケータのうちの少なくとも１つとを含み、前記カラーフィールドの値は、基本サービスセット（ＢＳＳ）の第１の識別子を示し、前記カラーフィールドの値は、前記送信デバイスによって選択される手段と、
ＢＳＳの第２の識別子を、前記ＢＳＳの第１の識別子と比較する手段と、
前記比較と、前記第１のデバイス識別子または前記アップリンク／ダウンリンクインジケータのうちの少なくとも１つとに少なくとも部分的に基づいて、フレーム内動作を実行するか否かを決定し、前記フレーム内動作を実行するとの決定に基づいて、前記フレーム内動作を実行する手段とを具備し、
前記ＢＳＳの第２の識別子は、前記受信デバイスによって使用されるＢＳＳを識別し、
前記フレーム内動作は、電力節約動作、受信フィルタリング動作、または、統計収集動作である装置。
【請求項３１】
第２のデバイス識別子を、前記第１のデバイス識別子と比較する手段をさらに具備し、
前記フレーム内動作を実行する手段は、前記ＢＳＳの第２の識別子が前記ＢＳＳの第１の識別子と合致することと、前記第２のデバイス識別子が前記第１のデバイス識別子と合致しないこととに少なくとも部分的に基づいて、前記フレーム内動作を実行する手段を備える請求項３０記載の装置。
【請求項３２】
ブロードキャスト／マルチキャスト関連識別子（ＡＩＤ）を、前記第１のデバイス識別子と比較する手段をさらに具備し、
前記フレーム内動作を実行することは、さらに、前記ブロードキャスト／マルチキャストＡＩＤが前記第１のデバイス識別子と合致しないことに少なくとも部分的に基づいている請求項３１記載の装置。
【請求項３３】
前記フレーム内動作は、前記受信フィルタリング動作であり、
前記受信フィルタリング動作を実行する手段は、前記第１のＷＬＡＮプロトコルデータユニットの復号を中止する手段を備える請求項３２記載の装置。
【請求項３４】
前記フレーム内動作は、前記受信フィルタリング動作であり、
前記受信フィルタリング動作を実行する手段は、前記第１のＷＬＡＮプロトコルデータユニットの復号を中止する手段を備える請求項３１記載の装置。
【請求項３５】
前記フレーム内動作は、前記電力節約動作であり、
前記電力節約動作を実行することは、前記第１のＷＬＡＮプロトコルデータユニットの残りに対して、ドーズ状態に入ることを含む請求項３１記載の装置。
【請求項３６】
前記第１のデバイス識別子は、部分的基本サービスセット識別子（ＢＳＳＩＤ）で排他的ＯＲされた（ＸＯＲされた）、前記第１のＷＬＡＮプロトコルデータユニットの意図された局受信者の部分的関連識別子（ＡＩＤ）を含む請求項３０記載の装置。
【請求項３７】
前記第１のデバイス識別子は、前記第１のＷＬＡＮプロトコルデータユニットの意図されたアクセスポイント（ＡＰ）受信者の部分的ＢＳＳＩＤを含む請求項３０記載の装置。
【請求項３８】
前記第１のデバイス識別子は、第１のデバイス関連識別子（ＡＩＤ）であり、前記第２のデバイス識別子は、第２のＡＩＤである請求項３１記載の装置。
【請求項３９】
前記アップリンク／ダウンリンクインジケータは、前記第１のＷＬＡＮプロトコルデータユニットが、アップリンク通信のためのものか、または、ダウンリンク通信のためのものかを識別するインジケータである請求項３０記載の装置。
【請求項４０】
受信デバイスにおけるワイヤレス通信のためのコードを記憶する非一時的コンピュータ可読媒体において、
前記コードは、前記受信デバイスに、
共用無線周波数スペクトル帯域を通して、送信デバイスによって送られる、第１のワイヤレスローカルエリアネットワーク（ＷＬＡＮ）プロトコルデータユニットの第１の物理層ヘッダを受信させ、前記第１の物理層ヘッダは、少なくとも、カラーフィールドの値と、第１のデバイス識別子またはアップリンク／ダウンリンクインジケータのうちの少なくとも１つとを含み、前記カラーフィールドの値は、基本サービスセット（ＢＳＳ）の第１の識別子を示し、前記カラーフィールドの値は、前記送信デバイスによって選択され、
ＢＳＳの第２の識別子を、前記ＢＳＳの第１の識別子と比較させ、前記ＢＳＳの第２の識別子は、前記受信デバイスによって使用されるＢＳＳを識別し、
前記比較と、前記第１のデバイス識別子または前記アップリンク／ダウンリンクインジケータのうちの少なくとも１つとに少なくとも部分的に基づいて、フレーム内動作を実行させるか否かを決定させ、前記フレーム内動作を実行させるとの決定に基づいて、前記フレーム内動作を実行させるように実行可能な命令を含み、
前記フレーム内動作は、電力節約動作、受信フィルタリング動作、または、統計収集動作である非一時的コンピュータ可読媒体。
【請求項４１】
送信デバイスにおけるワイヤレス通信のための方法において、
カラーフィールドの値を選択することと、
共用無線周波数スペクトル帯域を通して、第１のワイヤレスローカルエリアネットワーク（ＷＬＡＮ）プロトコルデータユニットの第１の物理層ヘッダを受信機に送信することとを含み、
前記第１の物理層ヘッダは、第１のＷＬＡＮシグナリングフィールドにおける前記カラーフィールドの値と第２のＷＬＡＮシグナリングフィールドにおける第１のデバイス識別子とを含み、
前記カラーフィールドの値は、基本サービスセット（ＢＳＳ）の第１の識別子を示す方法。
【発明の詳細な説明】
【関連出願の相互参照】
【０００１】
[0001]本特許出願は、２０１６年５月４日に出願された「ワイヤレスローカルエリアネットワーク物理層ヘッダ中の識別子に少なくとも部分的に基づいて、フレーム内動作を実行するための技法」と題された、Ａｓｔｅｒｊａｄｈｉ他による米国特許出願第１５／１４６，３８１号；２０１５年１０月２０日に出願された「ワイヤレスローカルエリアネットワーク物理層ヘッダ中の識別子に少なくとも部分的に基づいて、フレーム内動作を実行するための技法」と題された、Ａｓｔｅｒｊａｄｈｉ他による米国仮特許出願第６２／２４４，０８０号；２０１５年１０月１９日に出願された「ワイヤレスローカルエリアネットワーク物理層ヘッダ中の識別子に少なくとも部分的に基づいて、フレーム内動作を実行するための技法」と題された、Ａｓｔｅｒｊａｄｈｉ他による米国仮特許出願第６２／２４３，５５１号；２０１５年９月１１日に出願された「ワイヤレスローカルエリアネットワーク物理層ヘッダ中の識別子に少なくとも部分的に基づいて、フレーム内動作を実行するための技法」と題された、Ａｓｔｅｒｊａｄｈｉ他による米国仮特許出願第６２／２１７，５４６号；２０１５年５月６日に出願された「ワイヤレスローカルエリアネットワーク物理層ヘッダ中の識別子に少なくとも部分的に基づいて、フレーム内動作を実行するための技法」と題された、Ａｓｔｅｒｊａｄｈｉ他による米国仮特許出願第６２／１５７，８８４号；の優先権を主張し、それらの各々は、本出願の譲受人に譲渡されている。
【開示の分野】
【０００２】
[0002]本開示は、ワイヤレス通信に関係し、より具体的には、ワイヤレスローカルエリアネットワーク（ＷＬＡＮ）物理層ヘッダ中の識別子に少なくとも部分的に基づいて、フレーム内動作を実行するための技法に関係する。
【関係する技術の説明】
【０００３】
[0003]ワイヤレス通信システムは、音声、映像、パケットデータ、メッセージング、ブロードキャスト、等々のような様々なタイプの通信コンテンツを提供するために広く展開されている。これらのシステムは、利用可能なシステムリソース（例えば、時間、周波数、および電力）を共有することによって複数のユーザとの通信をサポートすることができる多元接続システムであり得る。ワイヤレスネットワーク（例えば、ＩＥＥＥ ８０２．１１標準規格のファミリーのうちの１つ以上に準拠するＷｉ−Ｆｉ(登録商標)ネットワークのようなＷＬＡＮ）は、１つ以上の局（ＳＴＡ）または移動デバイスと通信し得るアクセスポイント（ＡＰ）を含み得る。ＡＰは、インターネットのような、ネットワークに結合され得、ネットワークを介して、局または移動デバイスが通信する（または、サービスセット、例えば、基本サービスセット（ＢＳＳ）、または拡張されたサービスセット（ＥＳＳ）において、ＡＰに結合された他のデバイスと通信する）ことができるようにし得る。局は、関連付けられたＡＰと、双方向で通信し得る。例えば、ダウンリンク（ＤＬ）およびアップリンク（ＵＬ）を介して、局は、関連付けられたＡＰと通信し得る。ＤＬ（または順方向リンク）は、ＡＰから局への送信を搬送する通信リンクを指し得、ＵＬ（または逆方向リンク）は、局からＡＰへの送信を搬送する通信リンクを指し得る。電力を浪費しないように、受信された送信が、その局に対して意図されていないとき、局は、電力節約モードに入り得る（または、他の目的のためにシステムリソースを使用する）。さらにまた、送信を受信し、正しく復号する可能性を高めるために、送信がそのデバイスに対して意図されていないことを決定次第、デバイス（例えば、ＡＰまたは局）は、送信を復号することを中止し得る。
【概要】
【０００４】
[0004]本開示は、ワイヤレスローカルエリアネットワーク（ＷＬＡＮ）物理層ヘッダ中の識別子に、少なくとも部分的に基づいて、フレーム内動作を実行するためのシステム、方法、または装置に関係し得る。ＩＥＥＥ ８０２．１１標準規格のファミリーの新規の変形は、ＩＥＥＥ ８０２．１１ａｘ標準規格である。ＩＥＥＥ ８０２．１１ａｘ標準規格は、多数の高効率ＷＬＡＮシグナリングフィールドを含むフレームを提供する。本開示は、高効率ＷＬＡＮシグナリングフィールド中に含まれ得る識別子と、識別子のうちの１つ以上に少なくとも部分的に基づいて、フレーム内動作を実行するための技法とを説明する。フレーム内動作は、電力節約動作または受信フィルタリング動作を含み得る。
【０００５】
[0005]受信デバイスにおけるワイヤレス通信のための方法が説明される。方法は、共用無線周波数スペクトル帯域を通して、第１のＷＬＡＮプロトコルデータユニットの第１の物理層ヘッダを受信することを含む。第１の物理層ヘッダは、少なくとも、第１の基本サービスセット（ＢＳＳ）識別子および第１のデバイス関連識別子（ＡＩＤ）を含み得る。方法はまた、第１のＢＳＳ識別子および第１のデバイスＡＩＤに少なくとも部分的に基づいて、電力節約動作および受信フィルタリング動作から成るグループより選択されたフレーム内動作を実行することを含む。
【０００６】
[0006]受信デバイスにおけるワイヤレス通信のための装置が説明される。装置は、共用無線周波数スペクトル帯域を通して、第１のＷＬＡＮプロトコルデータユニットの第１の物理層ヘッダを受信するための、物理層ヘッダプロセッサを含む。第１の物理層ヘッダは、少なくとも、第１のＢＳＳ識別子および第１のデバイスＡＩＤを含み得る。装置はまた、第１のＢＳＳ識別子および第１のデバイスＡＩＤに少なくとも部分的に基づいて、電力節約動作および受信フィルタリング動作から成るグループより選択されたフレーム内動作を実行するための、フレーム内動作マネージャを含む。
【０００７】
[0007]受信デバイスにおけるワイヤレス通信のための別の装置が説明される。装置は、共用無線周波数スペクトル帯域を通して、第１のＷＬＡＮプロトコルデータユニットの第１の物理層ヘッダを受信するための手段を含む。第１の物理層ヘッダは、少なくとも、第１のＢＳＳ識別子および第１のデバイスＡＩＤを含み得る。装置はまた、第１のＢＳＳ識別子および第１のデバイスＡＩＤに少なくとも部分的に基づいて、電力節約動作および受信フィルタリング動作から成るグループより選択されたフレーム内動作を実行するための手段を含む。
【０００８】
[0008]受信デバイスにおけるワイヤレス通信のためのコードを記憶する非一時的コンピュータ可読媒体が説明される。コードは、受信デバイスに、共用無線周波数スペクトル帯域を通して、第１のＷＬＡＮプロトコルデータユニットの第１の物理層ヘッダを受信させるように実施可能な命令を含む。第１の物理層ヘッダは、少なくとも、第１のＢＳＳ識別子および第１のデバイスＡＩＤを含み得る。コードはまた、第１のＢＳＳ識別子および第１のデバイスＡＩＤに少なくとも部分的に基づいて、電力節約動作および受信フィルタリング動作から成るグループより選択されたフレーム内動作を実行させるように実施可能な命令を含む。
【０００９】
[0009]第２のＢＳＳ識別子は、第１のＢＳＳ識別子と比較され得、第２のデバイスＡＩＤは、第１のデバイスＡＩＤと比較され得、比較に少なくとも部分的に基づいて、フレーム内動作は実行され得る。第２のＢＳＳ識別子は、受信デバイスによって使用されるＢＳＳを識別し得、第２のデバイスＡＩＤは、受信デバイスのＡＩＤであり得る。
【００１０】
[0010]フレーム内動作が電力節約動作であるとき、電力節約動作を実行することは、第２のＢＳＳ識別子が第１のＢＳＳ識別子と合致すること、および第２のデバイスＡＩＤが第１のデバイスＡＩＤと合致しないことに、少なくとも部分的に基づいて、第１のＷＬＡＮプロトコルデータユニットの残りに対して、電力節約モードに入ることを含み得る。いくつかの例において、ブロードキャスト／マルチキャストＡＩＤは、第１のデバイスＡＩＤと比較され得、第１のＷＬＡＮプロトコルデータユニットの残りに対して、電力節約モードに入ることは、さらに、ブロードキャスト／マルチキャストＡＩＤが第１のデバイスＡＩＤと合致しないことに、少なくとも部分的に基づき得る。
【００１１】
[0011]フレーム内動作が受信フィルタリング動作であるとき、受信フィルタリング動作を実行することは、第２のＢＳＳ識別子が第１のＢＳＳ識別子と合致しないことに少なくとも部分的に基づいて、第１のＷＬＡＮプロトコルデータユニットの復号を中止すること、および／または第２のデバイスＡＩＤが第１のデバイスＡＩＤと合致しないことに少なくとも部分的に基づいて、第１のＷＬＡＮプロトコルデータユニットの復号を中止することを含み得る。ブロードキャスト／マルチキャストＡＩＤが第１のデバイスＡＩＤと比較される例において、受信フィルタリング動作を実行することは、第２のＢＳＳ識別子が第１のＢＳＳ識別子と合致しないことに、少なくとも部分的に基づいて、第１のＷＬＡＮプロトコルデータユニットの復号を中止すること、および／または第２のデバイスＡＩＤが第１のデバイスＡＩＤと合致しないこと、およびブロードキャスト／マルチキャストＡＩＤが第１のデバイスＡＩＤと合致しないことに少なくとも部分的に基づいて、第１のＷＬＡＮプロトコルデータユニットの復号を中止することを含み得る。いくつかの例において、第１のＷＬＡＮプロトコルデータユニットの送信の間中、第１のＷＬＡＮプロトコルデータユニットの復号の中止後、第２のＷＬＡＮプロトコルデータユニットの第２の物理層ヘッダは、共用無線周波数スペクトル帯域を通して受信し得る。
【００１２】
[0012]第１のデバイスＡＩＤは、いくつかの実施形態において、部分的基本サービスセット識別子（ＢＳＳＩＤ）で排他的ＯＲされた（ＸＯＲされた）、第１のＷＬＡＮプロトコルデータユニットの意図された局受信機の部分的ＡＩＤを含み得る。代替的に、第１のデバイスＡＩＤは、第１のＷＬＡＮプロトコルデータユニットの意図されたＡＰ受信機の部分的ＢＳＳＩＤを含み得る。いくつかの例において、第１の物理層ヘッダを受信することは、第１のＷＬＡＮシグナリングフィールドにおいて第１のＢＳＳ識別子を受信すること、および第２のＷＬＡＮシグナリングフィールドにおいて第１のデバイスＡＩＤを受信することを含む。第１のＷＬＡＮシグナリングフィールドおよび第２のＷＬＡＮシグナリングフィールドは、別々に符号化され得る。
【００１３】
[0013]前述は、以下の詳細な説明がより良く理解され得るように、本開示に従った例の特徴および技術的利点をどちらかといえば広く概説している。追加の特徴および利点が以下に説明されることになる。開示される概念および特定の例は、本開示と同じ目的を実行するための他の構造を修正または設計するための基礎として容易に利用され得る。そのような等価な構造は、添付された特許請求の範囲から逸脱しない。本明細書において開示される概念の特性は、関連する利点とともに、それらの編成および動作の方法の両方に関して、添付の図面に関連して検討されたときに以下の説明からより良く理解されるであろう。図面の各々は、例証および説明を目的として提供され、特許請求の範囲の限定の定義としては提供されない。
【図面の簡単な説明】
【００１４】
[0014]本開示の性質および利点のさらなる理解が、以下の図面を参照することによって実現され得る。添付された図面において、同様のコンポーネントまたは特徴は、同じ参照ラベルを有し得る。さらに、同じタイプの様々なコンポーネントは、ダッシュと、同様のコンポーネントを区別する第２のラベルとが参照ラベルに続くことによって区別され得る。本明細書中で第１の参照ラベルだけが使用される場合、その説明は、第２の参照ラベルに関係なく同じ第１の参照ラベルを有する同様のコンポーネントのうちの任意の１つにも適用可能である。
【図１】[0015]図１は、本開示の様々な態様に従う、ＷＬＡＮのブロック図を指し示す。
【図２】[0016]図２は、本開示の様々な態様に従う、ＡＰおよび局間の通信のために使用可能なＷＬＡＮプロトコルデータユニットの例を指し示す。
【図３】[0017]図３は、本開示の様々な態様に従う、ＡＰおよび局間の通信のために使用可能なＷＬＡＮプロトコルデータユニットの別の例を指し示す。
【図４】[0018]図４は、本開示の様々な態様に従う、ワイヤレス通信において使用するための装置のブロック図を指し示す。
【図５】[0019]図５は、本開示の様々な態様に従う、ワイヤレス通信において使用するための装置のブロック図を指し示す。
【図６】[0020]図６は、本開示の様々な態様に従う、ＷＬＡＮプロトコルデータユニットを生成し、送信し、および／または復号するためのＡＰのブロック図を指し示す。
【図７】[0021]図７は、本開示の様々な態様に従う、ＷＬＡＮプロトコルデータユニットを生成し、送信し、および／または復号するための局のブロック図を指し示す。
【図８】[0022]図８は、本開示の様々な態様に従う、受信デバイスにおけるワイヤレス通信のための方法の例を例証するフローチャートである。
【図９】[0023]図９は、本開示の様々な態様に従う、受信デバイスにおけるワイヤレス通信のための方法の例を例証するフローチャートである。
【図１０】[0024]図１０は、本開示の様々な態様に従う、受信デバイスにおけるワイヤレス通信のための方法の例を例証するフローチャートである。
【発明の詳細な説明】
【００１５】
[0025]説明される特徴は、一般的に、基本サービスセット（ＢＳＳ）識別子およびデバイス関連識別子（ＡＩＤ）のような、物理層ヘッダ中の識別子を使用して、フレーム内動作を実行するための技法に関係する。例えば、識別子のうちの１つ以上に少なくとも部分的に基づいて、ワイヤレスデバイスは、受信機フロントエンドの一部分をパワーダウンし、ＷＬＡＮプロトコルデータユニットを復号することを中止し、またはデバイスが所属するＢＳＳから、統計データ（例えば、電力、干渉、パケット間到着遅れ、公平性、等）を収集し得る。デバイスは、追加的に、または代替的に、ＢＳＳまたは他のＢＳＳ内で通信しているデバイスから、統計データを収集し得る。
【００１６】
[0026]以下の説明は、例を提供しており、特許請求の範囲に記載されている範囲、適用可能性、または例を限定してはいない。本開示の範囲から逸脱することなしに、論述された要素の機能および配列中で変更がなされ得る。様々な例は、適宜、様々なプロシージャまたはコンポーネントを省略、代用、あるいは追加し得る。例えば、説明される方法は、説明されるものとは異なる順序で実行され、様々なステップは、追加、省略、または組み合わされ得る。また、いくつかの例に関して説明される特徴は、他の例中で組み合され得る。
【００１７】
[0027]最初に図１を参照すれば、本開示の様々な態様に従う、ブロック図が、ＷＬＡＮ１００（例えば、ＩＥＥＥ ８０２．１１標準規格のファミリーのうちの少なくとも１つを実装しているネットワーク）の例を例証する。ＷＬＡＮ１００は、移動局、携帯情報端末（ＰＤＡ）、他のハンドヘルドデバイス、ネットブック、ノートブックコンピュータ、タブレットコンピュータ、ラップトップ、ディスプレイデバイス（例えば、ＴＶ、コンピュータモニター、等）、プリンター等のような、ＡＰ１０５および１つ以上のワイヤレスデバイスまたは局（ＳＴＡ）１１５を含み得る。１つのＡＰ１０５が例証されるが、ＷＬＡＮ１００は、複数のＡＰ１０５を含み得る。例えば、移動局（ＭＳ）、移動デバイス、アクセス端末（ＡＴ）、ユーザ機器（ＵＥ）、加入者局（ＳＳ）、または加入者ユニットを含み得る局１１５の各々は、通信リンク１１０を介して、ＡＰ１０５に関連し、ＡＰ１０５と通信し得る。各ＡＰ１０５は、地理的カバレッジエリア１２５を有し得、従って、地理的カバレッジエリア１２５内の局１１５が、典型的にＡＰ１０５と通信できる。局１１５は、地理的カバレッジエリア１２５全体にわたって分散され得る。各局１１５は、固定式または移動式であり得る。
【００１８】
[0028]図１に図示していないが、局１１５は、１つより多いＡＰ１０５によってカバーされることができ、それゆえ、異なる時間において、１つ以上のＡＰ１０５と関連できる。単一のＡＰ１０５および局の関連したセットは、ＢＳＳと呼ばれ得る。拡張されたサービスセット（ＥＳＳ）は、接続されたＢＳＳのセットを含み得る。分散システム（ＤＳ）（図示せず）は、ＥＳＳ中のＡＰ１０５を接続するために使用され得る。ＡＰ１０５に対する地理的カバレッジエリア１２５は、セクタに分割され得、各セクタがカバレッジエリアの一部分を含む（図示せず）。ＷＬＡＮ１００は、異なる技術に対して、変化するサイズのカバレッジエリア、およびオーバーラップするカバレッジエリアを備えた、異なるタイプ（例えば、メトロポリタンエリア、ホームネットワーク、等）のＡＰ１０５を含み得る。図示していないが、他のワイヤレスデバイスは、ＡＰ１０５と通信できる。
【００１９】
[0029]局１１５は、通信リンク１１０を使用して、ＡＰ１０５を通じてお互いに通信し得るが、局１１５はまた、直接ワイヤレスリンク１２０を介して、別の局１１５と直接的に通信し得る。両方の局１１５が、ＡＰ１０５の地理的カバレッジエリア１２５中にあるとき、または１つまたはゼロ個の局１１５（図示せず）が、ＡＰ１０５の地理的カバレッジエリア１２５内にあるとき、２つ以上の局１１５は、直接ワイヤレスリンク１２０を介して通信し得る。直接ワイヤレスリンク１２０の例は、Ｗｉ−Ｆｉ直接接続、Ｗｉ−Ｆｉ(登録商標)トンネル直接リンクセットアップ（ＴＤＬＳ：Tunneled Direct Link Setup）リンクを使用して確立される接続、および他のピアツーピア（Ｐ２Ｐ）グループ接続を含み得る。これらの例における局１１５は、８０２．１１ｂ、８０２．１１ｇ、８０２．１１ａ、８０２．１１ｎ、８０２．１１ａｃ、８０２．１１ａｄ、８０２．１１ａｈ、８０２．１１ａｘ、等を含むが、それらに制限されない、ＩＥＥＥ ８０２．１１標準規格のファミリーによって説明される、物理（ＰＨＹ）および媒体アクセス制御（ＭＡＣ）層を含む、ＷＬＡＮ無線およびベース帯域プロトコルに従って通信し得る。他の実装において、他のＰ２Ｐ接続および／またはアドホックネットワークが、ＷＬＡＮ１００内で実装され得る。
【００２０】
[0030]ＷＬＡＮ１００において、ＡＰ１０５は新規のワイヤレス標準規格を含むＩＥＥＥ ８０２．１１標準規格の様々なバージョンに従って、少なくとも１つの局１１５へメッセージを送信、または少なくとも１つの局１１５からメッセージを受信し得る。ＡＰ１０５は、ＡＰワイヤレス通信マネージャ４２０を含み得る。ＡＰワイヤレス通信マネージャ４２０は、共用無線周波数スペクトル帯域を通して、ＷＬＡＮプロトコルデータユニットの物理層ヘッダを受信するために使用され得る。物理層ヘッダは、ＢＳＳの識別子、デバイスＡＩＤ、ＵＬ／ＤＬインジケータ（例えば、ＵＬ／ＤＬフラッグ）、および／または他のインジケータを含み得る。ＡＰワイヤレス通信マネージャ４２０は、物理層ヘッダに含まれる識別子のうちの１つ以上に少なくとも部分的に基づいて、フレーム内動作を実行し得、いくつかのケースにおいて、受信フィルタリング動作または統計収集動作を実行し得る。
【００２１】
[0031]局１１５の各々は、局ワイヤレス通信マネージャ４２０−ａを含み得る。局ワイヤレス通信マネージャ４２０−ａは、共用無線周波数スペクトル帯域を通して、ＷＬＡＮプロトコルデータユニットの物理層ヘッダを受信するために使用され得、電力節約動作および／または受信フィルタリング動作のようなフレーム内動作を実行し得る。フレーム内動作は、物理層ヘッダ（例えば、ＢＳＳの識別子、デバイスＡＩＤ、ＵＬ／ＤＬインジケータ、および／または他のインジケータ）中に含まれる１つ以上の識別子に少なくとも部分的に基づき得る。
【００２２】
[0032]デバイスによって実行されるフレーム内動作が統計収集動作であるとき、デバイス（例えば、局またはＡＰ）は、デバイス周辺におけるデバイスの挙動に関する統計を収集し得る。いくつかのケースにおいて、ＢＳＳ識別子の決定に基づいて、局は、不当な、または攻撃的な挙動を検出し得、そのような情報を、局に関連付けられたＡＰに報告し得る。ＡＰは、次に、不当に、または攻撃的に実行しているＢＳＳのＡＰに、この情報を報告し得る。代替的に、局は、この挙動を、誤動作しているＢＳＳのＡＰに直接的に報告し得る。いくつかの例において、その中で局が動作しているＢＳＳの識別子と同じ識別子を局は使用していることを他のＢＳＳが検出し得、同様に、この情報をＡＰに報告し得る。ＡＰは、応じて、エリア中の他のＢＳＳの動作の影響を制限するための対応策を取ることを決定し得る。いくつかのケースにおいて、スリープモードに起因して、局が、送信されたフレームの受信に失敗しないように、そのＢＳＳ識別子と同じ値を有するＰＰＤＵの間中、ＡＰは、ＡＰの局がドーズ状態に入ることを禁止するように決定し得る。
【００２３】
[0033]図２は、本開示の様々な態様に従う、ＡＰおよび局間の通信のために使用可能なＷＬＡＮプロトコルデータユニット２００（例えば、物理層集中プロトコルデータユニット（ＰＰＤＵ））の例を指し示す。ＡＰは、図１を参照して説明されるＡＰ１０５の態様の例であり得、局は、図１を参照して説明される局１１５の態様の例であり得る。
【００２４】
[0034]ＷＬＡＮプロトコルデータユニット２００は、（例えば、サービスフィールド、ＭＡＣプロトコルデータユニット（ＭＰＤＵ）、または１つ以上のＭＰＤＵを次に包含し得る物理層サービスデータユニット（ＰＳＤＵ）、のうちの１つ以上を含む）ＰＨＹ層ヘッダ２６０およびデータフィールド２１５を含み得る。ＰＨＹ層ヘッダ２６０は、レガシーＷＬＡＮプリアンブル２０５および／または高効率（ＨＥ）ＷＬＡＮプリアンブル２１０を含み得る。プリアンブルおよびデータフィールドは、以下の順番：レガシーＷＬＡＮプリアンブル２０５、高効率ＷＬＡＮプリアンブル２１０、データフィールド２１５、で送信され得る。ＷＬＡＮプロトコルデータユニット２００は、いくつかの例において、複数のサブ帯域を含み得る無線周波数スペクトル帯域を通して送信され得る。いくつかの例において、無線周波数スペクトル帯域は、８０ＭＨｚの帯域幅を有し得、サブ帯域の各々は、２０ＭＨｚの帯域幅を有し得る。
【００２５】
[0035]レガシーＷＬＡＮプリアンブル２０５は、レガシーショートトレーニングフィールド（Ｌ−ＳＴＦ）情報２２０、レガシーロングトレーニングフィールド（Ｌ−ＬＴＦ）情報２２５、および／またはレガシーシグナリング（Ｌ−ＳＩＧ）情報２３０を含み得る。無線周波数スペクトル帯域が複数のサブ帯域を含むとき、Ｌ−ＳＴＦ、Ｌ−ＬＴＦ、およびＬ−ＳＩＧ情報は、複数のサブ帯域の各々において、二重化され、送信され得る。
【００２６】
[0036]高効率ＷＬＡＮプリアンブル２１０は、繰り返されたレガシーＷＬＡＮシグナリング（ＲＬ−ＳＩＧ）フィールド２３５、第１のＷＬＡＮシグナリングフィールド２４０（例えば、第１の高効率ＷＬＡＮシグナリングフィールド）、第２のＷＬＡＮシグナリングフィールド２４５（例えば、第２の高効率ＷＬＡＮシグナリングフィールド）、ＷＬＡＮ ＳＴＦ（例えば、ＨＥ−ＳＴＦ２５０とラベル付けされた、高効率ＷＬＡＮ ＳＴＦ）、および／または少なくとも１つのＷＬＡＮ ＬＴＦ（例えば、ＨＥ−ＬＴＦ２５５とラベル付けされた、少なくとも１つの高効率ＷＬＡＮ ＬＴＦ）を含み得る。
【００２７】
[0037]無線周波数スペクトル帯域が、複数のサブ帯域を含むとき、（レガシーＷＬＡＮプリアンブル２０５からの）Ｌ−ＳＩＧ情報２３０は、ＲＬ−ＳＩＧ情報として、繰り返されたレガシーＷＬＡＮシグナリングフィールド２３５の各サブ帯域において、二重化され、送信され得る。繰り返されたレガシーＷＬＡＮシグナリングフィールド２３５は、局に、ＷＬＡＮプロトコルデータユニット２００が、ＩＥＥＥ ８０２．１１ａｘ ＷＬＡＮプロトコルデータユニットであることを示し得る。
【００２８】
[0038]第１のＷＬＡＮシグナリングフィールド２４０は、ＷＬＡＮプロトコルデータユニット２００において通信を受信または送信するように識別された多数のＡＰまたは局以外の、ＡＰおよび局によって使用可能な高効率ＷＬＡＮシグナリング情報を含み得る。第１のＷＬＡＮシグナリングフィールド２４０はまた、第２のＷＬＡＮシグナリングフィールド２４５を復号するために識別された多数のＡＰまたは局によって使用可能な情報を含み得る。無線周波数スペクトル帯域が、複数のサブ帯域を含むとき、第１のＷＬＡＮシグナリングフィールド２４０中に含まれる情報（例えば、ＨＥ−ＳＩＧ−Ａ情報）は、第１のＷＬＡＮシグナリングフィールド２４０における各サブ帯域において、二重化され、送信され得る。
【００２９】
[0039]第２のＷＬＡＮシグナリングフィールド２４５は、ＷＬＡＮプロトコルデータユニット２００において通信を送信または受信するように識別された、多数のＡＰおよび局によって使用可能な高効率ＷＬＡＮシグナリング情報を含み得る。さらに具体的に、第２のＷＬＡＮシグナリングフィールド２４５は、データフィールド２１５中のデータを送信／符号化または受信／復号するために、多数のＡＰまたは局によって使用可能な情報を含み得る。第２のＷＬＡＮシグナリングフィールド２４５は、第１のＷＬＡＮシグナリングフィールド２４０とは別々に符号化され得る。
【００３０】
[0040]高効率ＷＬＡＮプリアンブル２１０は、ＢＳＳの識別子を含み得、ＢＳＳの識別子はまた、ＢＳＳ識別子と呼ばれ得る。ＢＳＳの識別子は、カラーフィールドの値を含み得る。カラーフィールドの値は、ＢＳＳの一意のまたは非一意の識別子であり得、ＢＳＳのメンバーによって生成された全てのＷＬＡＮプロトコルデータユニット中に含まれ得る。カラーフィールドの値は、ＢＳＳ初期化の間中、ＡＰによって選択され得る。局によって使用されるＢＳＳと合致するカラーフィールド値を包含するＷＬＡＮプロトコルデータユニットを受信する局は、ＷＬＡＮプロトコルデータユニットを、「メンバー」ＷＬＡＮプロトコルデータユニットと分類し得、そうでなければ、ＷＬＡＮプロトコルデータユニットを、「非メンバー」ＷＬＡＮプロトコルデータユニットと分類し得る。いくつかのケースにおいて、カラーフィールドは、第１のＷＬＡＮシグナリングフィールド２４０中に含まれ得る。
【００３１】
[0041]高効率ＷＬＡＮプリアンブル２１０はまた、ＷＬＡＮプロトコルデータユニット２００の受信機を識別するデバイスＡＩＤおよび／またはＷＬＡＮプロトコルデータユニット２００の送信機を識別するデバイスＡＩＤ、のような多数のデバイスＡＩＤを含み得る。デバイスＡＩＤは、デバイスの一意の、または非一意の識別子であり得る。ＷＬＡＮプロトコルデータユニット２００の受信機を識別するデバイスＡＩＤは、ＷＬＡＮプロトコルデータユニット２００の意図された局受信機の部分的ＡＩＤ（ＰＡＩＤ）であり得る、または、を含み得、ＷＬＡＮプロトコルデータユニット２００の意図された局受信機の部分的ＡＩＤ（ＰＡＩＤ）は、最終的に、部分的ＢＳＳＩＤで排他的ＯＲされ（ＸＯＲされ）得る。代替的に、ＷＬＡＮプロトコルデータユニット２００の受信機を識別するデバイスＡＩＤは、ＷＬＡＮプロトコルデータユニット２００の意図されたＡＰ受信機の部分的ＢＳＳＩＤを含み得る。ＷＬＡＮプロトコルデータユニット２００の送信機を識別するデバイスＡＩＤは、局送信機の部分的ＴＡＩＤを含み得、局送信機の部分的ＴＡＩＤは、最終的に、部分的ＢＳＳＩＤで排他的ＯＲされ（ＸＯＲされ）得る。代替的に、ＷＬＡＮプロトコルデータユニット２００の送信機を識別するデバイスＡＩＤは、ＡＰ送信機の部分的ＢＳＳＩＤを含み得る。ＰＡＩＤ、部分的ＴＡＩＤ、または部分的ＢＳＳＩＤは、いくつかのケースにおいて、局またはＡＰのＭＡＣ ＩＤに少なくとも部分的に基づき得る。いくつかのケースにおいて、デバイスＡＩＤは、第２のＷＬＡＮシグナリングフィールド２４５中に含まれ得る。高効率ＷＬＡＮプリアンブル２１０は、さらに、または代替的に、アップリンク／ダウンリンクインジケータ（例えば、ＷＬＡＮプロトコルデータユニットが、アップリンク送信またはダウンリンク送信を含むかを示す２進値）を含み得る。
【００３２】
[0042]図３は、本開示の様々な態様に従う、ＡＰおよび局間の通信のために使用可能なＷＬＡＮプロトコルデータユニット２００−ａ（例えば、ＰＰＤＵ）の別の例を指し示す。ＡＰは、図１を参照して説明されるＡＰ１０５の態様の例であり得、局は、図１を参照して説明される局１１５の態様の例であり得る。ＷＬＡＮプロトコルデータユニット２００−ａは、図２を参照して説明されるＷＬＡＮプロトコルデータユニット２００の態様の例であり得る。
【００３３】
[0043]ＷＬＡＮプロトコルデータユニット２００−ａは、ＰＨＹ層ヘッダ２６０−ａおよびデータフィールド２１５−ａを含み得る。ＰＨＹ層ヘッダ２６０−ａは、レガシーＷＬＡＮプリアンブル２０５−ａおよび／または高効率ＷＬＡＮプリアンブル２１０−ａを含み得る。ＰＨＹ層ヘッダ２６０−ａ、レガシーＷＬＡＮプリアンブル２０５−ａ、高効率ＷＬＡＮプリアンブル２１０−ａ、およびデータフィールド２１５−ａは、ＰＨＹ層ヘッダ２６０、レガシーＷＬＡＮプリアンブル２０５、高効率ＷＬＡＮプリアンブル２１０、およびデータフィールド２１５の例であり得る。高効率ＷＬＡＮプリアンブル２１０−ａは、カラーフィールド、多数のデバイスＡＩＤ、および／またはＵＬ／ＤＬインジケータを含み得る。
【００３４】
[0044]いくつかの例において、受信デバイス（例えば、ＷＬＡＮプロトコルデータユニット２００−ａの高効率ＷＬＡＮプリアンブル２１０−ａを少なくとも受信するデバイス）は、高効率ＷＬＡＮプリアンブル２１０−ａ中に含まれる、カラーフィールドの値、デバイスＡＩＤ、および／またはＵＬ／ＤＬインジケータに少なくとも部分的に基づいて、フレーム（例えば、イントラＷＬＡＮプロトコルデータユニット）内動作を実行し得る。例えば、高効率ＷＬＡＮプリアンブル２１０−ａが、カラーフィールドを含むとき、高効率ＷＬＡＮプリアンブル２１０−ａを受信する局は、カラーフィールドにおいて受信されたＢＳＳの第１の識別子を、ＢＳＳの第２の識別子と比較し得る。第２の識別子は、局によって使用されるＢＳＳを識別し得る。第１の識別子が、第２の識別子と合致しないとき（例えば、ＷＬＡＮプロトコルデータユニット２００−ａが、非メンバーＷＬＡＮプロトコルデータユニットと分類されるとき）、局は、いくつかのケースにおいて、電力節約モードに入り得る。しかしながら、電力節約モードに入ることは、局に、その後に送信されるメンバーＷＬＡＮプロトコルデータユニットを取り逃がさせ得る。いくつかの実施形態において、局は、ＷＬＡＮプロトコルデータユニット２００−ａを非メンバーＷＬＡＮプロトコルデータユニットとして分類し、１つ以上の他の条件が満たされることを決定次第、電力節約モードに入り得る。１つ以上の他の条件は、しきい値信号強度を超える（例えば、ＷＬＡＮプロトコルデータユニット２００−ａの、またはそのある部分（例えば、高効率ＷＬＡＮプリアンブル２１０−ａ）の）受信信号強度を含み得る。受信信号強度が高いとき、非メンバーＷＬＡＮプロトコルデータユニット２００−ａより優位に立ってメンバーＷＬＡＮプロトコルデータユニットが送信されている可能性は、低いであろう。
【００３５】
[0045]高効率ＷＬＡＮプリアンブル２１０−ａが、カラーフィールドおよびＵＬ／ＤＬインジケータを含むとき、高効率ＷＬＡＮプリアンブル２１０−ａを受信する局は、カラーフィールドにおいて受信されたＢＳＳの第１の識別子を、ＢＳＳの第２の識別子と比較し得る。第２の識別子は、局によって使用されるＢＳＳを識別し得る。局はまた、ＷＬＡＮプロトコルデータユニット２００−ａが、アップリンク通信のためのものか、またはダウンリンク通信のためのものかをＵＬ／ＤＬインジケータが示すかを決定し得る。第１の識別子が第２の識別子と合致し（例えば、ＷＬＡＮプロトコルデータユニット２００−ａが、メンバーＷＬＡＮプロトコルデータユニットとして分類され）、ＷＬＡＮプロトコルデータユニット２００−ａが、ＵＬ通信のためのものであることをＵＬ／ＤＬインジケータが示すとき、ＷＬＡＮプロトコルデータユニット２００−ａに対するＵＬ許諾を局が受信していない限り、ＷＬＡＮプロトコルデータユニット２００−ａの残りに対して、（例えば、２２０において）、電力節約モードに入り得る。いくつかの実施形態において、第１の識別子が第２の識別子と合致しないことを決定するとき、局は、電力節約モードに入ってはならない。第１の識別子が第２の識別子と合致することを決定し、かつ、１）局が、ＷＬＡＮプロトコルデータユニット２００−ａに対するＵＬ許諾を受信していると決定する、または２）、ＷＬＡＮプロトコルデータユニット２００−ａが、ＤＬ通信のためのものであることをＵＬ／ＤＬインジケータが示すと決定する、のいずれかであるとき、局はまた、電力節約モードに入ってはならない。
【００３６】
[0046]高効率ＷＬＡＮプリアンブル２１０−ａが、カラーフィールドおよび第１のデバイスＡＩＤを含むとき、ここで、第１のデバイスＡＩＤは、ＰＡＩＤ（または、部分的ＢＳＳＩＤでＸＯＲされたＰＡＩＤ）を含み、高効率ＷＬＡＮプリアンブル２１０−ａを受信する局は、カラーフィールドにおいて受信されたＢＳＳの第１の識別子を、ＢＳＳの第２の識別子と比較し得る。第２の識別子は、局によって使用されるＢＳＳを識別し得る。局はまた、第１のデバイスＡＩＤを、局の第２のデバイスＡＩＤおよび／またはブロードキャスト／マルチキャストＡＩＤと比較し得る。第１の識別子が、第２の識別子と合致し、第１のデバイスＡＩＤが、第２のデバイスＡＩＤおよび／またはブロードキャスト／マルチキャストＡＩＤと合致しないとき、局は、ＷＬＡＮプロトコルデータユニット２００−ａの残りに対して、（例えば、２２０において）電力節約モードに入り得る。ＷＬＡＮプロトコルデータユニット２００−ａが、ＵＬ通信のためのものである、またはＤＬ通信のためのものであることをＵＬ／ＤＬインジケータが示しているかに拘わらず、局は電力節約モードに入り得る。いくつかの実施形態において、第１の識別子が第２の識別子と合致しないことを決定するとき、局は電力節約モードに入ってはならない。第１の識別子が第２の識別子と合致し、かつ、第１のデバイスＡＩＤが、第２のデバイスＡＩＤおよび／またはブロードキャスト／マルチキャストＡＩＤと合致することを決定するとき、局はまた、電力節約モードに入ってはならない。
【００３７】
[0047]高効率ＷＬＡＮプリアンブル２１０−ａが、カラーフィールドおよび第１のデバイスＡＩＤを含むとき、ここで、第１のデバイスＡＩＤは、部分的ＴＡＩＤ（または、部分的ＢＳＳＩＤでＸＯＲされたＴＡＩＤ）を含み、高効率ＷＬＡＮプリアンブル２１０−ａを受信する局は、カラーフィールドにおいて受信されたＢＳＳの第１の識別子を、ＢＳＳの第２の識別子と比較し得る。第２の識別子は、局によって使用されるＢＳＳを識別し得る。局はまた、第１のデバイスＡＩＤを、（局が関連付けられているＡＰの）第２のデバイスＡＩＤと比較し得る。第１の識別子が、第２の識別子と合致し、第１のデバイスＡＩＤが、第２のデバイスＡＩＤと合致しないとき、局は、ＷＬＡＮプロトコルデータユニット２００−ａの残りに対して、（例えば、２２０において）、電力節約モードに入り得る。ＷＬＡＮプロトコルデータユニット２００−ａが、ＵＬ通信のためのものである、またはＤＬ通信のためのものであることをＵＬ／ＤＬインジケータが示しているかに拘わらず、局は電力節約モードに入り得る。いくつかの実施形態において、第１の識別子が第２の識別子と合致しないことを決定するとき、局は電力節約モードに入ってはならない。第１の識別子が第２の識別子と合致し、かつ、第１のデバイスＡＩＤが、第２のデバイスＡＩＤと合致することを決定するとき、局はまた、電力節約モードに入ってはならない。
【００３８】
[0048]高効率ＷＬＡＮプリアンブル２１０−ａが、カラーフィールドを含むとき、ＡＰまたは局は、カラーフィールドにおいて受信されたＢＳＳの第１の識別子を、ＢＳＳの第２の識別子と比較し得る。第２の識別子は、ＡＰまたは局によって使用されるＢＳＳを識別し得る。第１および第２の識別子が合致しないとき（例えば、ＷＬＡＮプロトコルデータユニット２００−ａが、非メンバーＷＬＡＮプロトコルデータユニットとして分類されたとき）、ＡＰまたは局は（例えば、２２０において）、受信フィルタリング動作を実行し、ＷＬＡＮプロトコルデータユニット２００−ａを復号することを中止し得る。ＷＬＡＮプロトコルデータユニット２００−ａを復号することを中止することによって、ＡＰまたは局は、他のＷＬＡＮプロトコルデータユニットを復号することにより多くのリソースを振り向け得、他のＷＬＡＮプロトコルデータユニットを受信することおよび復号することの可能性を増加し得、この他のＷＬＡＮプロトコルデータユニットは、ＡＰまたは局に対して意図され得る。
【００３９】
[0049]高効率ＷＬＡＮプリアンブル２１０−ａが、カラーフィールドおよびＵＬ／ＤＬインジケータを含むとき、高効率ＷＬＡＮプリアンブル２１０−ａを受信するＡＰまたは局は、カラーフィールドにおいて受信されたＢＳＳの第１の識別子を、ＢＳＳの第２の識別子と比較し得る。第２の識別子は、ＡＰまたは局によって使用されるＢＳＳを識別し得る。ＡＰまたは局はまた、ＷＬＡＮプロトコルデータユニット２００−ａが、ＵＬ通信のためのものか、またはＤＬ通信のためのものかをＵＬ／ＤＬインジケータが示すかを決定し得る。ＷＬＡＮプロトコルデータユニット２００−ａが、ＡＰによって受信され、第１の識別子が第２の識別子と合致し（例えば、ＷＬＡＮプロトコルデータユニット２００−ａが、メンバーＷＬＡＮプロトコルデータユニットとして分類され）、ＷＬＡＮプロトコルデータユニット２００−ａが、ＤＬ通信のためのものであることをＵＬ／ＤＬインジケータが示すとき、ＡＰは（例えば、２２０において）受信フィルタリング動作を実行し得、ＷＬＡＮプロトコルデータユニット２００−ａを復号することを中止し得る。ＡＰはまた、第１の識別子が第２の識別子と合致しないとき、受信フィルタリング動作を実行し得る。いくつかの実施形態において、第１の識別子が第２の識別子と合致し、ＷＬＡＮプロトコルデータユニット２００−ａが、ＵＬ通信のためのものであることをＵＬ／ＤＬインジケータが示すとき、ＡＰは、受信フィルタリング動作を実行してはならない。ＷＬＡＮプロトコルデータユニット２００−ａが、局によって受信され、第１の識別子が第２の識別子と合致し（例えば、ＷＬＡＮプロトコルデータユニット２００−ａが、メンバーＷＬＡＮプロトコルデータユニットとして分類され）、ＷＬＡＮプロトコルデータユニット２００−ａが、ＵＬ通信のためのものであることをＵＬ／ＤＬインジケータが示すとき、局は、（例えば、２２０において）受信フィルタリング動作を実行し得、ＷＬＡＮプロトコルデータユニット２００−ａを復号することを中止し得る。局はまた、第１の識別子が、第２の識別子と合致しないとき、受信フィルタリング動作を実行し得る。いくつかの実施形態において、第１の識別子が第２の識別子と合致し、ＷＬＡＮプロトコルデータユニット２００−ａが、ＤＬ通信のためのものであることをＵＬ／ＤＬインジケータが示すとき、局は、受信フィルタリング動作を実行してはならない。ＷＬＡＮプロトコルデータユニット２００−ａを復号することを中止することによって、ＡＰまたは局は、他のＷＬＡＮプロトコルデータユニットを復号することにより多くのリソースを振り向け得、他のＷＬＡＮプロトコルデータユニットを受信することおよび復号することの可能性を増加し得、この他のＷＬＡＮプロトコルデータユニットは、ＡＰまたは局に対して意図され得る。
【００４０】
[0050]高効率ＷＬＡＮプリアンブル２１０−ａが、カラーフィールドおよび第１のデバイスＡＩＤを含むとき、ここで、第１のデバイスＡＩＤは、ＰＡＩＤ（または、部分的ＢＳＳＩＤでＸＯＲされたＰＡＩＤ）を含み、高効率ＷＬＡＮプリアンブル２１０−ａを受信するＡＰまたは局は、カラーフィールドにおいて受信されたＢＳＳの第１の識別子を、ＢＳＳの第２の識別子と比較し得る。第２の識別子は、ＡＰまたは局によって使用されるＢＳＳを識別し得る。ＡＰまたは局はまた、第１のデバイスＡＩＤを、（ＡＰまたは局の）第２のデバイスＡＩＤおよび／またはブロードキャスト／マルチキャストＡＩＤと比較し得る。第１および第２の識別子が合致しないとき（例えば、ＷＬＡＮプロトコルデータユニット２００−ａが、非メンバーＷＬＡＮプロトコルデータユニットとして分類されるとき）、ＡＰまたは局は、（例えば、２２０において）受信フィルタリング動作を実行し得、ＷＬＡＮプロトコルデータユニット２００−ａを復号することを中止し得る。ＡＰまたは局はまた、第１のデバイスＡＩＤが、第２のデバイスＡＩＤと合致しないとき（または、第１のデバイスＡＩＤが、第２のデバイスＡＩＤと合致せず、ブロードキャスト／マルチキャストＡＩＤと合致しないとき）、受信フィルタリング動作を実行し得る。ＷＬＡＮプロトコルデータユニット２００−ａを復号することを中止することによって、ＡＰまたは局は、他のＷＬＡＮプロトコルデータユニットを復号することにより多くのリソースを振り向け得、他のＷＬＡＮプロトコルデータユニットを受信することおよび復号することの可能性を増加し得、この他のＷＬＡＮプロトコルデータユニットは、ＡＰまたは局に対して意図され得る。
【００４１】
[0051]高効率ＷＬＡＮプリアンブル２１０−ａが、カラーフィールドおよび第１のデバイスＡＩＤを含むとき、ここで、第１のデバイスＡＩＤは、部分的ＴＡＩＤ（または、部分的ＢＳＳＩＤでＸＯＲされた部分的ＴＡＩＤ）を含み、高効率ＷＬＡＮプリアンブル２１０−ａを受信するＡＰまたは局は、カラーフィールドにおいて受信されたＢＳＳの第１の識別子を、ＢＳＳの第２の識別子と比較し得る。第２の識別子は、ＡＰまたは局によって使用されるＢＳＳを識別し得る。ＡＰまたは局はまた、第１のデバイスＡＩＤを、（ＡＰに関連付けられた局の、または局が関連付けられたＡＰの）第２のデバイスＡＩＤと比較し得る。第１および第２の識別子が合致しないとき（例えば、ＷＬＡＮプロトコルデータユニット２００−ａが、非メンバーＷＬＡＮプロトコルデータユニットとして分類されるとき）、ＡＰまたは局は、（例えば、２２０において）受信フィルタリング動作を実行し得、ＷＬＡＮプロトコルデータユニット２００−ａを復号することを中止し得る。ＡＰまたは局はまた、第１のデバイスＡＩＤが第２のデバイスＡＩＤと合致しないとき（または、マッチングがＡＰによって実行され、第１のデバイスＡＩＤが、ＡＰに関連付けられた任意の局の第２のデバイスＡＩＤと合致しないとき）、受信フィルタリング動作を実行し得る。ＷＬＡＮプロトコルデータユニット２００−ａを復号することを中止することによって、ＡＰまたは局は、他のＷＬＡＮプロトコルデータユニット（例えば、他のＢＳＳ（ＯＢＳＳ）ＷＬＡＮプロトコルデータユニット）を復号することにより多くのリソースを振り向け得、他のＷＬＡＮプロトコルデータユニットを受信することおよび復号することの可能性を増加し得、その他のＷＬＡＮプロトコルデータユニットは、ＡＰまたは局に対して意図され得る。
【００４２】
[0052]いくつかの例において、ＡＰまたはＡＰに関連付けられた局は、局に割り振られた識別子および／またはカラーフィールドが、他のＢＳＳの他の局および／またはＡＰによって使用され得ることを決定し得る。そのようなシナリオにおいて、局は、このイベントをＡＰに報告し得る。代替的に、ＡＰは、この決定をなし得る。いくつかのケースにおいて、決定することは、フレームがＢＳＳ中のＳＴＡによって生成されることを示す、ＰＨＹヘッダ中の１つ以上の識別子について受信フレームを点検することによってなされる。例えば、カラーフィールドは、ＢＳＳのカラーと一致し得る。追加的に、または代替的に、ＵＬ／ＤＬインジケータは、フレームがＵＬであることを示し得、フレームのＰＳＤＵ中の１つ以上のＭＰＤＵの点検は、受信機アドレス（Ａ１）および／またはＢＳＳＩＤアドレス（Ａ３）が、ＡＰまたはＢＳＳのそれらと対応しないことを、明かし得る。ＤＬケースに対して、同様のアプローチが使用され得る（例えば、送信機アドレス（Ａ２）および／またはＡ３が、ＡＰまたはＢＳＳのそれらと対応しないことが決定され得る）。そのようなケースにおいて、ＡＰは、ある時間の期間に対して、フレーム内動作をスイッチオフすることを決定し得る。ＡＰは、管理フレーム（例えば、プローブ応答、ビーコン、等）中で送信する情報要素中の１つ以上のビットを、所定の値に設定することによって、フレーム内動作のうちの１つ以上が中断されることを示し得る。
【００４３】
[0053]いくつかの例において（例えば、局が他のＢＳＳによる不当な挙動または衝突する動作に気づいている場合）、ＡＰのＢＳＳにおける局は、ＡＰに、フレーム内動作を中断することを要求し得る。ある例において、ＡＰがフレーム内動作を中断するとき（例えば、フレーム中に含まれるＰＳＤＵの一部から、そのフレームの送信機または受信機は、局が関連付けられているＡＰであることを局が決定できるとき）、局は、フレーム内電力節約動作を実行することを続け得る。Ａ１、Ａ２、またはＡ３を点検し、フレームが、ＡＰに対して意図されているか、またはＡＰによって生成されているかを決定することによって、局は、この決定をなし得る。フレームが、ＡＰに対して意図されているか、またはＡＰによって生成されている場合、局は、フレームに対して、電力節約動作を再開できる。フレームが、他のＢＳＳのＡＰによって生成されているか、または他のＢＳＳのＡＰに対して意図されている場合、フレームは、廃棄され得る。
【００４４】
[0054]図４は、本開示の様々な態様に従う、ワイヤレス通信における使用のための装置４０５のブロック図４００を指し示す。装置４０５は、図１を参照して説明されるＡＰ１０５または局１１５の態様の例であり得る。装置４０５はまた、プロセッサ（図示せず）であり得るか、またはプロセッサを含み得る。装置４０５は、受信機４１０、ワイヤレス通信マネージャ４２０−ｂ、および／または送信機４３０を含み得る。これらのコンポーネントの各々は、互いと通信し得る。
【００４５】
[0055]装置４０５のコンポーネントは、個々にまたは集合的に、ハードウェア中で適用可能な機能のうちのいくつかまたは全てを実行するように適合された少なくとも１つの特定用途向け集積回路（ＡＳＩＣ）を使用して実装され得る。代替的に、機能は、少なくとも１つの集積回路上の、少なくとも１つの他の処理ユニット（あるいはコア）によって実行され得る。他の例において、他のタイプの集積回路（例えば、ストラクチャード／プラットフォームＡＳＩＣ、フィールドプログラマブルゲートアレイ（ＦＰＧＡ）、システムオンチップ（ＳｏＣ）、および／または他のタイプのセミカスタムＩＣ）が使用され得、それらは、当該技術において知られている任意の方式でプログラムされ得る。各コンポーネントの機能はまた、全体的にまたは部分的に、メモリで具現化され少なくとも１つの汎用および／または特定用途向けのプロセッサによって実施されるようにフォーマットされた命令により実現され得る。受信機４１０は、無線周波数（ＲＦ）受信機を含み得る。受信機４１０および／またはＲＦ受信機は、図１を参照して説明されるＷＬＡＮ１００の１つ以上の通信リンクのような、ワイヤレス通信システムの１つ以上の通信リンクを通して、様々なタイプのデータおよび／または制御信号（すなわち、送信）を受信するために使用され得る。送信機４３０は、ＲＦ送信機を含み得る。送信機４３０またはＲＦ送信機は、図１を参照して説明されるＷＬＡＮ１００の１つ以上の通信リンクのような、ワイヤレス通信システムの１つ以上の通信リンクを通して、様々なタイプのデータおよび／または制御信号（すなわち、送信）を送信するために使用され得る。
【００４６】
[0056]ワイヤレス通信マネージャ４２０−ｂは、装置４０５についてのワイヤレス通信の少なくとも１つの態様を管理するために使用され得る。ワイヤレス通信マネージャ４２０−ｂは、ＰＨＹ層ヘッダプロセッサ４３５および／またはフレーム内動作マネージャ４４０を含み得る。いくつかの例において、ＰＨＹ層ヘッダプロセッサ４３５および／またはフレーム内動作マネージャ４４０の一部または全部は、受信機４１０中に取り込まれ得る。
【００４７】
[0057]共用無線周波数スペクトル帯域を通して、第１のＷＬＡＮプロトコルデータユニットの第１の物理層ヘッダを受信するために、ＰＨＹ層ヘッダプロセッサ４３５が使用され得る。物理層ヘッダは、少なくともＢＳＳの第１の識別子および第１のデバイスＡＩＤを含み得る。第１のＷＬＡＮプロトコルデータユニットは、図２および３を参照して説明されるＷＬＡＮプロトコルデータユニットの態様の例であり得る。
【００４８】
[0058]フレーム内動作マネージャ４４０は、ＢＳＳの第１の識別子および第１のデバイスＡＩＤに少なくとも部分的に基づいて、フレーム内動作を実行するために使用され得る。フレーム内動作は、電力節約動作および／または受信フィルタリング動作を含み得る。
【００４９】
[0059]図５は、本開示の様々な態様に従う、ワイヤレス通信における使用のための装置４０５−ａのブロック図５００を指し示す。装置４０５−ａは、図１を参照して説明されるＡＰ１０５の態様の例、および／または図４を参照して説明される装置４０５の態様の例であり得る。装置４０５−ａはまた、プロセッサ（図示せず）であり得るか、またはプロセッサを含み得る。装置４０５−ａは、受信機４１０−ａを、ワイヤレス通信管理マネージャ４２０−ｃを、および／または送信機４３０−ａを含み得る。これらのコンポーネントの各々は、互いに通信し得る。
【００５０】
[0060]受信機４１０−ａ、ワイヤレス通信マネージャ４２０−ｃ、および送信機４３０−ａは、図４を参照して説明される受信機４１０、ワイヤレス通信マネージャ４２０−ｂ、および送信機４３０のそれぞれの例であり得る。図５に指し示されるように、ワイヤレス通信マネージャ４２０−ｃは、ＰＨＹ層ヘッダプロセッサ４３５−ａおよび／またはフレーム内動作マネージャ４４０−ａを含み得る。ＰＨＹ層ヘッダプロセッサ４３５−ａは、ＢＳＳ識別子５０５、デバイス識別子５１０、および／またはブロードキャスト／マルチキャスト識別子５１５を含み得る。フレーム内動作マネージャ４４０−ａは、電力節約マネージャ５２０および／または受信フィルタリングマネージャ５２５を含み得る。いくつかの例において、ＰＨＹ層ヘッダプロセッサ４３５−ａおよび／またはフレーム内動作マネージャ４４０−ａの一部または全部は、受信機４１０−ａ中に取り込まれ得る。
【００５１】
[0061]ＰＨＹ層ヘッダプロセッサ４３５−ａは、共用無線周波数スペクトル帯域を通して、第１のＷＬＡＮプロトコルデータユニットの第１の物理層ヘッダを受信するために使用され得る。物理層ヘッダは、少なくともＢＳＳの第１の識別子および第１のデバイスＡＩＤを含み得る。いくつかの例において、第１の物理層ヘッダを受信することは、第１のＷＬＡＮシグナリングフィールドにおいて、ＢＳＳの第１の識別子を受信すること、および第２のＷＬＡＮシグナリングフィールドにおいて、第１のデバイスＡＩＤを受信することを含み得る。第１のＷＬＡＮシグナリングフィールドおよび第２のＷＬＡＮシグナリングフィールドは、別々に符号化され得る。第１のデバイスＡＩＤは、部分的ＢＳＳＩＤでＸＯＲされた、受信デバイスの部分的ＡＩＤ（例えば、第１のＷＬＡＮプロトコルデータユニットの意図された局受信機の部分的ＡＩＤ）を含み得る。第１のＷＬＡＮプロトコルデータユニットは、図２および３を参照して説明されるＷＬＡＮプロトコルデータユニットの態様の例であり得る。
【００５２】
[0062]ＢＳＳ識別器５０５は、ＢＳＳの第２の識別子をＢＳＳの第１の識別子と比較するために使用され得る。ＢＳＳの第２の識別子は、受信デバイスによって使用されるＢＳＳを識別し得る。デバイス識別器５１０は、受信デバイスの第２のデバイスＡＩＤを第１のデバイスＡＩＤと比較するために使用され得る。ブロードキャスト／マルチキャスト識別器５１５は、ブロードキャスト／マルチキャストＡＩＤを第１のデバイスＡＩＤと比較するために、選択的に使用され得る。
【００５３】
[0063]フレーム内動作マネージャ４４０−ａは、ＢＳＳ識別器５０５、デバイス識別器５１０、および／またはブロードキャスト／マルチキャスト識別器５１５によってなされた比較に少なくとも部分的に基づいて、フレーム内動作を実行するために使用され得る。フレーム内動作は、電力節約動作および／または受信フィルタリング動作を含み得る。
【００５４】
[0064]第２の識別子が第１の識別子と合致すること、および第２のデバイスＡＩＤが第１のデバイスＡＩＤと合致しないことに少なくとも部分的に基づいて、電力節約マネージャ５２０は、第１のＷＬＡＮプロトコルデータユニットの残りに対して、電力節約モードに入るために使用され得る。いくつかの例において、ブロードキャスト／マルチキャストＡＩＤが第１のデバイスＡＩＤと合致しない（すなわち、ブロードキャスト／マルチキャストＡＩＤが第１のデバイスＡＩＤと合致しないことは、電力節約モードに入る前の他の条件に加えて、満たされるべき追加の条件であり得る）ことに、少なくとも部分的に基づいて、電力節約マネージャ５２０はまた、電力節約モードに入り得る。
【００５５】
[0065]受信フィルタリングマネージャ５２５は、第２の識別子が第１の識別子と合致しないことに少なくとも部分的に基づいて、第１のＷＬＡＮプロトコルデータユニットの復号を中止するために使用され得る。受信フィルタリングマネージャ５２５はまた、第２のデバイスＡＩＤが第１のデバイスＡＩＤと合致しないことに少なくとも部分的に基づいて（および、いくつかのケースにおいて、第２のデバイスＡＩＤが第１のデバイスＡＩＤと合致しないこと、およびブロードキャスト／マルチキャストＡＩＤが第１のデバイスＡＩＤと合致しないことに少なくとも部分的に基づいて）、第１のＷＬＡＮプロトコルデータユニットの復号を中止するために使用され得る。
【００５６】
[0066]第１のＷＬＡＮプロトコルの復号を中止することは、（例えば、第１のＷＬＡＮプロトコルデータユニットの送信の間中、かつ第１のＷＬＡＮプロトコルデータユニットの復号の中止後）装置４０５−ａが、第２のＷＬＡＮプロトコルデータユニットの第２の物理層ヘッダを受信できるようにし得る。
【００５７】
[0067]図６に目を向けると、本開示の様々な態様に従う、ＩＥＥＥ ８０２．１１標準規格に準拠するＷＬＡＮプロトコルデータユニット（例えば、図２および３を参照して上記で説明されたＷＬＡＮプロトコルデータユニット）のようなＷＬＡＮプロトコルデータユニットを生成し、送信し、および／または復号するＡＰ１０５−ａを例証する図６００が指し示される。いくつかの態様において、ＡＰ１０５−ａは、図１を参照して説明されるＡＰ１０５、または図４および５を参照して説明される装置４０５の態様の例であり得る。ＡＰ１０５−ａは、ＡＰプロセッサ６１０、ＡＰメモリ６２０、１つ以上のＡＰトランシーバ６３０、１つ以上のＡＰアンテナ６４０、および／またはＡＰワイヤレス通信マネージャ４２０−ｄを含み得る。ＡＰワイヤレス通信マネージャ４２０−ｄは、図１、４、および５のＡＰワイヤレス通信マネージャ（または、ワイヤレス通信マネージャ４２０）の例であり得る。ＡＰ１０５−ａはまた、ＡＰコミュニケータ６６０およびネットワークコミュニケータ６７０のうちの１つまたは両方を含み得る。これらのコンポーネントの各々は、少なくとも１つのバス６０５を通して、直接的または間接的に互いに通信し得る。
【００５８】
[0068]ＡＰメモリ６２０は、ランダムアクセスメモリ（ＲＡＭ）および／または読取専用メモリ（ＲＯＭ）を含み得る。メモリ６２０はまた、実施されるときに、ＡＰプロセッサ６１０に、ＷＬＡＮプロトコルデータユニットの生成、送信、および／または復号を含む、ワイヤレス通信のために本明細書で説明される様々な機能を実行させる命令を包含するコンピュータ可読、コンピュータ実施可能ソフトウェア（ＳＷ）コード６２５を記憶し得る。代替的に、ＳＷコード６２５は、ＡＰプロセッサ６１０によって直接的に実施可能でない場合があるが、例えば、コンパイルおよび実施されたとき、ＡＰ１０５−ａに、本明細書で説明される機能を実行させ得る。
【００５９】
[0069]ＡＰプロセッサ６１０は、インテリジェントハードウェアデバイス（例えば、中央処理ユニット（ＣＰＵ）、マイクロコントローラ、ＡＳＩＣ、等）を含み得る。ＡＰプロセッサ６１０は、ＡＰトランシーバ６３０、ＡＰコミュニケータ６６０、および／またはネットワークコミュニケータ６７０を通じて受信される情報を処理し得る。ＡＰプロセッサ６１０はまた、ＡＰアンテナ６４０を通した送信のためにＡＰトランシーバ６３０に、ＡＰコミュニケータ６６０に、および／またはネットワークコミュニケータ６７０に送られる情報を処理し得る。ＡＰプロセッサ６１０は、ＷＬＡＮプロトコルデータユニットを生成すること、送信すること、および／または復号することに関係する様々な態様を、単独で、または、ＡＰワイヤレス通信マネージャ４２０−ｄと関連して、処理し得る。
【００６０】
[0070]ＡＰトランシーバ６３０は、パケットを変調し、送信のためにＡＰアンテナ６４０に変調されたパケットを提供し、ＡＰアンテナ６４０から受信されたパケットを復調するためのモデムを含み得る。ＡＰトランシーバ６３０は、少なくとも１つの送信機および少なくとも１つの別個の受信機として実装され得る。例えば、図１において例証されるように、ＡＰトランシーバ６３０は、ＡＰアンテナ６４０を介して、少なくとも１つの局１１５と双方向で通信し得る。ＡＰ１０５−ａは、典型的に、複数のＡＰアンテナ６４０（例えば、アンテナアレイ）を含み得る。ＡＰ１０５−ａは、ＡＰネットワークコミュニケータ６７０を通じてコアネットワーク６８０と通信し得る。ＡＰ１０５−ａは、ＡＰコミュニケータ６６０を使用して、ＡＰ１０５−ｂおよび／またはＡＰ１０５−ｃのような、他のＡＰと通信し得る。
【００６１】
[0071]図１のＷＬＡＮ１００において例証されるようにＡＰワイヤレス通信マネージャ４２０−ｄは、局および／または他のデバイスとの通信を管理し得る。ＡＰワイヤレス通信マネージャ４２０−ｄは、バス６０５を通してＡＰ１０５−ａの他のコンポーネントのうちのいくつかまたは全てと通信するＡＰ１０５−ａのコンポーネントであり得る。代替的に、ＡＰワイヤレス通信マネージャ４２０−ｄの機能性は、ＡＰトランシーバ６３０のコンポーネントとして、コンピュータプログラム製品として、および／またはＡＰプロセッサ６１０のコントローラ要素として実装され得る。
【００６２】
[0072]ＡＰ１０５−ａのコンポーネントは、図１−５に関して上記で論述された態様を実装し得、それらの態様は、本明細書において、簡潔さのために繰り返されないであろう。さらにまた、ＡＰ１０５−ａのコンポーネントは、図８−１０に関して下記で論述される態様を実装し得、それらの態様は、本明細書において、簡潔さのために、また繰り返されないであろう。
【００６３】
[0073]図７に目を向けると、本開示の様々な態様に従う、ＩＥＥＥ ８０２．１１標準規格に準拠するＷＬＡＮプロトコルデータユニット（例えば、図２および３を参照して上記で説明されたＷＬＡＮプロトコルデータユニット）のようなＷＬＡＮプロトコルデータユニットを生成し、送信し、および／または復号する局１１５−ａを例証する図７００が指し示される。局１１５−ａは、様々な他の構成を有し得、パーソナルコンピュータ（例えば、ラップトップコンピュータ、ネットブックコンピュータ、タブレットコンピュータ、等）、セルラ電話、ＰＤＡ、デジタルビデオレコーダ（ＤＶＲ）、インターネット器具、ゲームコンソール、電子リーダ、等を含むか、またはその一部であり得る。局１１５−ａは、モバイル動作を容易にするために、小型バッテリのような、内部電源（図示せず）を有し得る。局１１５−ａは、図１を参照して説明される局１１５の態様の例、または図４および５を参照して説明される装置４０５であり得る。
【００６４】
[0074]局１１５−ａは、局プロセッサ７１０、局メモリ７２０、１つ以上の局トランシーバ７４０、１つ以上の局アンテナ７５０、および／または局ワイヤレス通信マネージャ４２０−ｅを含み得る。局ワイヤレス通信マネージャ４２０−ｅは、図１、４、および５の局ワイヤレス通信マネージャ（または、ワイヤレス通信マネージャ４２０）の例であり得る。これらのコンポーネントの各々は、少なくとも１つのバス７０５を通して、直接的または間接的に互いと通信し得る。
【００６５】
[0075]局メモリ７２０は、ＲＡＭおよび／またはＲＯＭを含み得る。局メモリ７２０は、実施されるとき、局プロセッサ７１０に、ＷＬＡＮプロトコルデータユニットの生成、送信、および／または復号を含む、ワイヤレス通信のために本明細書で説明される様々な機能を実行させる命令を包含するコンピュータ可読、コンピュータ実施可能ソフトウェアＳＷコード７２５を記憶し得る。代替的に、ＳＷコード７２５は、局プロセッサ７１０によって直接的に実施可能でない場合があるが、（例えば、コンパイルおよび実行されたとき）局１１５−ａに、本明細書で説明される機能を実行させ得る。
【００６６】
[0076]局プロセッサ７１０は、インテリジェントハードウェアデバイス、（例えば、ＣＰＵ、マイクロコントローラ、ＡＳＩＣ、等）を含み得る。局プロセッサ７１０は、局トランシーバ７４０を通じて受信される情報を処理し得、および／または１つ以上の局アンテナ７５０を通じての送信のために局トランシーバ７４０に送られるべき情報を処理し得る。局プロセッサ７１０は、ＷＬＡＮプロトコルデータユニットを生成すること、送信すること、および／または復号することに関係する様々な態様を単独で、または、局ワイヤレス通信マネージャ４２０−ｅと関連して、処理し得る。
【００６７】
[0077]例えば、図１において例証されるように、局トランシーバ７４０は、局アンテナ７５０を介して、少なくとも１つのＡＰ１０５と、双方向で通信し得る。局トランシーバ７４０は、少なくとも１つの送信機および少なくとも１つの別個の受信機として実装され得る。局トランシーバ７４０は、パケットを変調し、変調されたパケットを送信のために１つ以上の局アンテナ７５０に提供し、局アンテナ７５０から受信されたパケットを復調するためのモデムを含み得る。局１１５−ａは単一のアンテナを含み得るが、局１１５−ａが複数の局アンテナ７５０を含み得る態様が存在し得る。
【００６８】
[0078]図１のＷＬＡＮ１００において例証されるように、局ワイヤレス通信マネージャ４２０−ｅは、ＡＰおよび／または他のデバイスとの通信を管理し得る。局ワイヤレス通信マネージャ４２０−ｅは、バス７０５を通して局１１５−ａの他のコンポーネントのうちのいくつかまたは全てと通信する、局１１５−ａのコンポーネントであり得る。代替的に、局ワイヤレス通信マネージャ４２０−ｅの機能性は、局トランシーバ７４０のコンポーネントとして、コンピュータプログラム製品として、および／または局プロセッサ７１０のコントローラ要素として実装し得る。
【００６９】
[0079]局１１５−ａのコンポーネントは、図１−６に関して上記で論述された態様を実装し得、それらの態様は、本明細書において、簡潔さのために繰り返されないであろう。さらにまた、局１１５−ａのコンポーネントは、図８−１０に関して下記で論述される態様を実装し得、それらの態様は、本明細書において、簡潔さのために、また繰り返されないであろう。
【００７０】
[0080]図８は、本開示の様々な態様に従う、受信デバイスにおけるワイヤレス通信のための方法８００の例を例証するフローチャートである。明確性のために、方法８００は、図１および７を参照して説明されるＡＰ１０５の態様、図１および６を参照して説明される局１１５の態様、または、図４および５を参照して説明される装置４０５の態様、を参照して以下で説明される。いくつかの例において、ＡＰ、局、および／または装置は、以下に説明される機能を実施するために、ＡＰ、局、および／または装置の要素を制御するためのコードのセットを実行する。追加的に、または代替的に、ＡＰ、局、および／または装置は、特殊用途ハードウェアを使用して、以下に説明される機能を実施し得る。
【００７１】
[0081]ブロック８０５において、方法８００は、共用無線周波数スペクトル帯域を通して、第１のＷＬＡＮプロトコルデータユニットの第１の物理層ヘッダを受信することを含む。物理層ヘッダは、少なくとも第１のＢＳＳ識別子および第１のデバイスＡＩＤを含む。ブロック８１０において、フレーム内動作は、第１のＢＳＳ識別子および第１のデバイスＡＩＤに少なくとも部分的に基づいて実行される。フレーム内動作は、電力節約動作または受信フィルタリング動作であり得る。ブロック８０５および８１０における動作は、例えば、図１、４、５、または６を参照して説明されるワイヤレス通信マネージャ４２０を使用して実行され得る。第１のＷＬＡＮプロトコルデータユニットは、図２および３を参照して説明されるＷＬＡＮプロトコルデータユニットの態様の例である。方法８００は、単に１つの実装に過ぎず、方法８００の動作は、他の実装が可能になるように、再配列、またはそうでない場合は修正され得ることに留意されたい。
【００７２】
[0082]図９は、本開示の様々な態様に従う、受信デバイスにおけるワイヤレス通信のための方法９００の例を例示するフローチャートである。明確性のために、方法９００は、図１または６を参照して説明される局１１５の、または、図４および５を参照して説明される装置４０５の態様を参照して以下で説明される。いくつかの例において、局および／または装置は、以下に説明される機能を実施するために、局および／または装置の要素を制御するためのコードのセットを実行し得る。追加的に、または代替的に、局および／または装置は、特殊用途ハードウェアを使用して、以下に説明される機能を実施し得る。
【００７３】
[0083]ブロック９０５において、第１のＷＬＡＮプロトコルデータユニットの第１の物理層ヘッダは、共用無線周波数スペクトル帯域を通して、受信される。物理層ヘッダは、少なくとも第１のＢＳＳ識別子および第１のデバイスＡＩＤを含む。いくつかの例において、第１の物理層ヘッダを受信することは、第１のＷＬＡＮシグナリングフィールドにおいて、第１のＢＳＳ識別子を受信すること、および第２のＷＬＡＮシグナリングフィールドにおいて、第１のデバイスＡＩＤを受信することを含む。第１のＷＬＡＮシグナリングフィールドおよび第２のＷＬＡＮシグナリングフィールドは、別々に符号化され得る。第１のデバイスＡＩＤは、部分的ＢＳＳＩＤでＸＯＲされた、受信デバイスの部分的ＡＩＤ（例えば、第１のＷＬＡＮプロトコルデータユニットの意図された局受信機の部分的ＡＩＤ）を含み得る。
【００７４】
[0084]ブロック９１０に進んで、（受信デバイスによって使用されるＢＳＳを識別し得る）第２のＢＳＳ識別子は、第１のＢＳＳ識別子と比較される。ブロック９１５において、受信デバイスの第２のデバイスＡＩＤは、第１のデバイスＡＩＤと比較される。いくつかの実施形態において、プロセスは、ブロック９２０に進み、一方、いくつかの他の実施形態において、プロセスは、ブロック９１５からブロック９２５に直接進む。ブロック９２０において、ブロードキャスト／マルチキャストＡＩＤは、第１のデバイスＡＩＤと比較される。ブロック９１０、９１５、および／または９２０において実行される比較に少なくとも部分的に基づいて、ブロック９２５において、電力節約動作のようなフレーム内動作が実行される。電力節約動作を実行することは、第２のＢＳＳ識別子が第１のＢＳＳ識別子と合致すること、および第２のデバイスＡＩＤが第１のデバイスＡＩＤと合致しないことに、少なくとも部分的に基づいて、第１のＷＬＡＮプロトコルデータユニットの残りに対して、電力節約モードに入ることを含み得る。いくつかの例において、電力節約モードに入ることはまた、ブロードキャスト／マルチキャストＡＩＤが第１のデバイスＡＩＤと合致しないことに、少なくとも部分的に基づき得る（すなわち、ブロードキャスト／マルチキャストＡＩＤが第１のデバイスＡＩＤと合致しないことは、電力節約モードに入る前の、他の条件に加えて、満たされるべき追加の条件であり得る）。ブロック９０５、９１０、９１５、９２０、および９２５における動作は、例えば、図１、４、５、または６を参照して説明されるワイヤレス通信マネージャ４２０を使用して実行され得る。第１のＷＬＡＮプロトコルデータユニットは、図２および３を参照して説明されるＷＬＡＮプロトコルデータユニットの態様の例である。方法９００は、単に１つの実装に過ぎず、方法９００の動作は、他の実装が可能になるように、再配列、またはそうでない場合は修正され得ることに留意されたい。
【００７５】
[0085]図１０は、本開示の様々な態様に従う、受信デバイスにおけるワイヤレス通信のための方法１０００の例を例証するフローチャートである。明確性のために、方法１０００は、図１および７を参照して説明されるＡＰ１０５の態様、図１および６を参照して説明される局１１５の態様、または図４および５を参照して説明される装置４０５の態様を参照して以下で説明される。いくつかの例において、ＡＰ、局、および／または装置は、以下に説明される機能を実行するために、ＡＰ、局、および／または装置の要素を制御するためのコードのセットを実行し得る。追加的に、または代替的に、ＡＰ、局、および／または装置は、特殊用途ハードウェアを使用して、以下に説明される機能を実施する。
【００７６】
[0086]ブロック１００５において、第１のＷＬＡＮプロトコルデータユニットの第１の物理層ヘッダは、共用無線周波数スペクトル帯域を通して受信される。物理層ヘッダは、少なくとも第１のＢＳＳ識別子および第１のデバイスＡＩＤを含む。いくつかの例において、第１の物理層ヘッダを受信することは、第１のＷＬＡＮシグナリングフィールドにおいて、第１のＢＳＳ識別子を受信すること、および、第２のＷＬＡＮシグナリングフィールドにおいて、第１のデバイスＡＩＤを受信することを含む。第１のＷＬＡＮシグナリングフィールドおよび第２のＷＬＡＮシグナリングフィールドは、別々に符号化され得る。受信デバイスが局であるとき、第１のデバイスＡＩＤは、部分的ＢＳＳＩＤでＸＯＲされた、局の部分的ＡＩＤ（例えば、第１のＷＬＡＮプロトコルデータユニットの意図された局受信機の部分的ＡＩＤ）を含み得る。受信デバイスが、ＡＰであるとき、第１のデバイスＡＩＤは、部分的ＢＳＳＩＤ（例えば、第１のＷＬＡＮプロトコルデータユニットの意図されたＡＰ受信機の部分的ＢＳＳＩＤ）を含み得る。
【００７７】
[0087]ブロック１０１０において、（受信デバイスによって使用されるＢＳＳを識別する）第２のＢＳＳ識別子は、第１のＢＳＳ識別子と比較される。ブロック１０１５において、受信デバイスの第２のデバイスＡＩＤは、第１のデバイスＡＩＤと比較される。いくつかの実施形態において、プロセスは、ブロック１０２０に進み、一方、いくつかの他の実施形態において、プロセスは、ブロック１０１５からブロック１０２５に直接進む。 ブロック１０２０において、ブロードキャスト／マルチキャストＡＩＤは、第１のデバイスＡＩＤと比較される。
【００７８】
[0088]ブロック１０２５または１０３０において、方法１０００は、ブロック１０１０、１０１５、および／または１０２０において実行される比較に少なくとも部分的に基づいて、受信フィルタリング動作のようなフレーム内動作を実行することを含み得る。ブロック１０２５において、受信フィルタリング動作を実行することは、第２のＢＳＳ識別子が第１のＢＳＳ識別子と合致しないことに、少なくとも部分的に基づいて、第１のＷＬＡＮプロトコルデータユニットの復号を中止することを含み得る。ブロック１０３０において、受信フィルタリング動作を実行することは、第２のデバイスＡＩＤが第１のデバイスＡＩＤと合致しないことに少なくとも部分的に基づいて（および、いくつかのケースにおいて、第２のデバイスＡＩＤが第１のデバイスＡＩＤと合致しないこと、およびブロードキャスト／マルチキャストＡＩＤが第１のデバイスＡＩＤと合致しないことに少なくとも部分的に基づいて）、第１のＷＬＡＮプロトコルデータユニットの復号を中止することを含み得る。
【００７９】
[0089]ブロック１０３５において、第１のＷＬＡＮプロトコルデータユニットの送信の間中、および第１のＷＬＡＮプロトコルデータユニットの復号の中止後、第２のＷＬＡＮプロトコルデータユニットの第２の物理層ヘッダは、共用無線周波数スペクトル帯域を通して受信される。ブロック１００５、１０１０、１０１５、１０２０、１０２５、１０３０、および１０３５における動作は、図１、４、５、または６を参照して説明されるワイヤレス通信マネージャ４２０を使用して実行され得る。第１のＷＬＡＮプロトコルデータユニットは、図２および３を参照して説明されるＷＬＡＮプロトコルデータユニットの態様の例であり得る。方法１０００は、単に１つの実装に過ぎず、方法１０００の動作は、他の実装が可能になるように、再配列、またはそうでない場合は修正され得ることに留意されたい。
【００８０】
[0090]図８、９、および／または１０を参照して説明される方法８００、９００、および／または１０００の態様は、結合され得る。
【００８１】
[0091]添付された図面に関連して上述された詳細な説明は、例を説明しており、実装され得るまたは特許請求の範囲内にある全ての例を表してはいない。用語「例」および「例示的」は、この説明中で使用されるとき、「例、事例、または例証としての役割を果たす」ことを意味し、「好ましい」または「他の例に対して有利である」ことを意味しない。詳細な説明は、記載された技法の理解を提供することを目的とした特定の詳細を含む。しかしながら、これらの技法は、これらの特定の詳細なしに実施され得る。いくつかの事例において、良く知られている構造および装置は、説明された例の概念を曖昧にすることを避けるために、ブロック図形式で指し示される。
【００８２】
[0092]情報と信号が様々な異なる技術と技法のうちのいずれかを使用して表され得る。例えば、上記の説明全体を通して参照され得るデータ、命令、コマンド、情報、信号、ビット、シンボル、およびチップは、電圧、電流、電磁波、磁場または粒子、光電場または光粒子、またはこれらの任意の組み合わせによって表され得る。
【００８３】
[0093]本明細書における開示に関連して説明される様々な例証的なブロックおよびコンポーネントは、汎用プロセッサ、デジタルシグナルプロセッサ（ＤＳＰ）、ＡＳＩＣ、ＦＰＧＡまたは他のプログラマブルロジックデバイス、ディスクリートゲートまたはトランジスタロジック、ディスクリートハードウェアコンポーネント、あるいは本明細書において説明される機能を実行するように設計されたそれらの任意の組み合わせを用いて実装または実行され得る。汎用プロセッサは、マイクロプロセッサであり得るが、その代わりに、プロセッサは、任意の従来のプロセッサ、コントローラ、マイクロコントローラ、または状態機械であり得る。プロセッサはまた、コンピューティングデバイスの組み合わせ、例えば、ＤＳＰとマイクロプロセッサの組み合わせ、複数のマイクロプロセッサ、ＤＳＰコアと連携した少なくとも１つのマイクロプロセッサ、またはその他任意のこのような構成として実装され得る。
【００８４】
[0094］本明細書で説明される機能は、ハードウェア、プロセッサによって実行されるソフトウェア、ファームウェア、またはそれらの任意の組み合わせにおいて実装され得る。プロセッサによって実施されるソフトウェア中で実現される場合、機能は、コンピュータ可読媒体上で、命令またはコードとして記憶または送信され得る。他の例および実装は、本開示および添付された特許請求の範囲内にある。例えば、ソフトウェアの性質に起因して、上述された機能は、プロセッサによって実行されるソフトウェア、ハードウェア、ファームウェア、ハード配線、またはこれらのうちのいずれかの組み合わせを使用して実装されることができる。機能を実装する特徴はまた、様々な位置において物理的に配置されることがあり得、それは、機能の部分が異なる物理的な位置において実装されるように分配されることを含む。特許請求の範囲を含めて、本明細書において使用される場合、用語「および／または」は、２つ以上の項目のリスト中で使用されるとき、リストされた項目のうちのいずれか１つが単独で用いられることができる、またはリストされた項目のうちの２つ以上の任意の組み合わせが用いられることができることを意味する。例えば、ある構成が、コンポーネントＡ、Ｂ、および／またはＣを包含するものとして説明されている場合、その構成は、Ａだけ、Ｂだけ、Ｃだけ、ＡとＢの組み合わせ、ＡとＣの組み合わせ、ＢとＣの組み合わせ、またはＡとＢとＣの組み合わせを包含することができる。また、特許請求の範囲を含めて、本明細書において使用される場合、項目のリスト（例えば、「〜のうちの少なくとも１つ」のようなフレーズで始まる項目のリスト）中で使用される「または」は、例えば、「Ａ、Ｂ、またはＣのうちの少なくとも１つ」のリストが、Ａ、Ｂ、Ｃ、ＡとＢ、ＡとＣ、ＢとＣ、ＡとＢとＣ（すなわち、Ａ、Ｂ、およびＣ）を意味するような、選言的なリストを示す。
【００８５】
[0095]コンピュータ可読媒体は、ある場所から別の場所へのコンピュータプログラムの転送を容易にする任意の媒体を含むコンピュータ記憶媒体と通信媒体との両方を含む。記憶媒体は、汎用または特殊用途コンピュータによってアクセスされることができる任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスク記憶デバイス、磁気ディスク記憶デバイスまたは他の磁気記憶デバイス、あるいは命令またはデータ構造の形態で所望のプログラムコード手段を搬送または記憶するために使用されることができ、汎用または特殊用途コンピュータ、もしくは汎用または特殊用途プロセッサによってアクセスされることができる任意の他の媒体を備えることができる。また、任意の接続は、コンピュータ可読媒体と適切に称される。例えば、ソフトウェアが、ウェブサイトから、サーバから、あるいは同軸ケーブル、ファイバ光ケーブル、ツイストペア、デジタル加入者ライン（ＤＳＬ）、または赤外線、無線、マイクロ波のようなワイヤレス技術を使用している他の遠隔ソースから送信された場合、同軸ケーブル、ファイバ光ケーブル、ツイストペア、ＤＳＬ、あるいは赤外線、無線、およびマイクロ波のようなワイヤレス技術は、媒体の定義に含まれる。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（Ｂｌｕ−ｒａｙ（登録商標））ディスク（disc）を含み、ディスク（disk）は通常、磁気的にデータを再生するが、ディスク（disc）は、レーザーを用いて光学的にデータを再生する。上記の組み合わせはまた、コンピュータ可読媒体の範囲内に含まれる。
【００８６】
[0096]本開示の先の説明は、本開示を製造または使用することを当業者に可能にさせるために提供されている。本開示に対する様々な変更は、当業者にとって容易に明らかであろう、また、本明細書において定義される一般的な原理は、本開示の範囲または精神から逸脱することなく他の変更に適用され得る。この開示全体を通じて、用語「例」または「例示的」は、例または事例を示し、言及された例についてのいかなる選好も暗示または必要とはしない。このことから、本開示は、本明細書に説明される例および設計に限定されるべきではなく、本明細書に開示された原理および新規の特徴と一致する最も広い範囲が付与されるべきである。
以下に、本願出願の当初の特許請求の範囲に記載された発明を付記する。
［１］  受信デバイスにおけるワイヤレス通信のための方法であって、
共用無線周波数スペクトル帯域を通して、第１のワイヤレスローカルエリアネットワーク（ＷＬＡＮ）プロトコルデータユニットの第１の物理層ヘッダを受信することと、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行することとを備える、方法。
［２］  第２のＢＳＳ識別子を、前記第１のＢＳＳ識別子と比較することと、前記第２のＢＳＳ識別子は、前記受信デバイスによって使用されるＢＳＳを識別しており、
前記受信デバイスの第２のデバイスＡＩＤを、前記第１のデバイスＡＩＤと比較することとをさらに備え、
ここにおいて、前記フレーム内動作が、前記比較に少なくとも部分的に基づいて実行される、［１］に記載の方法。
［３］  前記フレーム内動作は、前記電力節約動作を備え、前記電力節約動作を実行することは、前記第２のＢＳＳ識別子が前記第１のＢＳＳ識別子と合致すること、および前記第２のデバイスＡＩＤが前記第１のデバイスＡＩＤと合致しないことに少なくとも部分的に基づいて、前記第１のＷＬＡＮプロトコルデータユニットの残りに対して、電力節約モードに入ることを備える、［２］に記載の方法。
［４］  ブロードキャスト／マルチキャストＡＩＤを、前記第１のデバイスＡＩＤと比較することをさらに備え、
ここにおいて、前記第１のＷＬＡＮプロトコルデータユニットの前記残りに対して、前記電力節約モードに入ることは、さらに、前記ブロードキャスト／マルチキャストＡＩＤが前記第１のデバイスＡＩＤと合致しないことに、少なくとも部分的に基づく、［３］に記載の方法。
［５］  前記フレーム内動作は、受信フィルタリング動作を備え、前記受信フィルタリング動作を実行することは、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないことに、少なくとも部分的に基づいて、前記第１のＷＬＡＮプロトコルデータユニットの前記復号を中止することとを備える、［２］に記載の方法。
［６］  前記共用無線周波数スペクトル帯域を通して、前記第１のＷＬＡＮプロトコルデータユニットの送信の間、および前記第１のＷＬＡＮプロトコルデータユニットの前記復号の中止後、第２のＷＬＡＮプロトコルデータユニットの第２の物理層ヘッダを受信すること、をさらに備える、［５］に記載の方法。
［７］  前記フレーム内動作は、受信フィルタリング動作を備え、方法は、
ブロードキャスト／マルチキャストＡＩＤを、前記第１のデバイスＡＩＤと比較することをさらに備え、ここにおいて、前記受信フィルタリング動作を実行することは、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないこと、および前記ブロードキャスト／マルチキャストＡＩＤが前記第１のデバイスＡＩＤと合致しないことに、少なくとも部分的に基づいて、前記第１のＷＬＡＮプロトコルデータユニットの前記復号を中止することとを備える、［２］に記載の方法。
［８］  前記第１のデバイスＡＩＤは、部分的基本サービスセット識別子（ＢＳＳＩＤ）で排他的ＯＲされた（ＸＯＲされた）、前記第１のＷＬＡＮプロトコルデータユニットの意図された局受信者の部分的ＡＩＤを備える、［１］に記載の方法。
［９］  前記第１のデバイスＡＩＤは、前記第１のＷＬＡＮプロトコルデータユニットの意図されたアクセスポイント（ＡＰ）受信者の部分的ＢＳＳＩＤを備える、［１］に記載の方法。
［１０］  前記第１の物理層ヘッダを受信することは、
第１のＷＬＡＮシグナリングフィールドにおいて前記第１のＢＳＳ識別子を受信することと、
第２のＷＬＡＮシグナリングフィールドにおいて前記第１のデバイスＡＩＤを受信することと、
ここにおいて、前記第１のＷＬＡＮシグナリングフィールドおよび前記第２のＷＬＡＮシグナリングフィールドは、別々に符号化される、を備える、［１］に記載の方法。
［１１］  受信デバイスにおけるワイヤレス通信のための装置であって、
共用無線周波数スペクトル帯域を通して、第１のワイヤレスローカルエリアネットワーク（ＷＬＡＮ）プロトコルデータユニットの第１の物理層ヘッダを受信するための物理層ヘッダプロセッサと、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行するためのフレーム内動作マネージャとを備える、装置。
［１２］  第２のＢＳＳ識別子を、前記第１のＢＳＳ識別子と比較するためのＢＳＳ識別器と、前記第２のＢＳＳ識別子は、前記受信デバイスによって使用されるＢＳＳを識別しており、
前記受信デバイスの第２のデバイスＡＩＤを、前記第１のデバイスＡＩＤと比較するためのデバイス識別器とをさらに備え、
ここにおいて、前記比較に少なくとも部分的に基づいて、前記フレーム内動作マネージャが、前記フレーム内動作を実行する、［１１］に記載の装置。
［１３］  前記フレーム内動作は、前記電力節約動作を備え、前記第２のＢＳＳ識別子が前記第１のＢＳＳ識別子と合致すること、および前記第２のデバイスＡＩＤが前記第１のデバイスＡＩＤと合致しないことに少なくとも部分的に基づいて、前記第１のＷＬＡＮプロトコルデータユニットの残りに対して、電力節約モードに入ることによって、前記フレーム内動作マネージャは、前記電力節約動作を実行する、［１２］に記載の装置。
［１４］  ブロードキャスト／マルチキャストＡＩＤを、前記第１のデバイスＡＩＤと比較するためのブロードキャスト／マルチキャスト識別器をさらに備え、
ここにおいて、前記ブロードキャスト／マルチキャストＡＩＤが前記第１のデバイスＡＩＤと合致しないことに、少なくとも部分的に基づいて、前記フレーム内動作マネージャは、前記第１のＷＬＡＮプロトコルデータユニットの前記残りに対して、前記電力節約モードに入る、［１３］に記載の装置。
［１５］  前記フレーム内動作は、受信フィルタリング動作を備え、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないことに、少なくとも部分的に基づいて、前記第１のＷＬＡＮプロトコルデータユニットの前記復号を中止することとによって、前記フレーム内動作マネージャは、前記受信フィルタリング動作を実行する、［１２］に記載の装置。
［１６］  前記物理層ヘッダプロセッサは、前記共用無線周波数スペクトル帯域を通して、前記第１のＷＬＡＮプロトコルデータユニットの送信の間、および前記第１のＷＬＡＮプロトコルデータユニットの前記復号の中止後、第２のＷＬＡＮプロトコルデータユニットの第２の物理層ヘッダを受信する、［１５］に記載の装置。
［１７］  前記フレーム内動作は、受信フィルタリング動作を備え、前記装置は、
ブロードキャスト／マルチキャストＡＩＤを、前記第１のデバイスＡＩＤと比較するためのブロードキャスト／マルチキャスト識別器をさらに備え、ここにおいて、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないこと、および前記ブロードキャスト／マルチキャストＡＩＤが前記第１のデバイスＡＩＤと合致しないことに、少なくとも部分的に基づいて、前記第１のＷＬＡＮプロトコルデータユニットの前記復号を中止することとによって、前記フレーム内動作マネージャは、前記受信フィルタリング動作を実行する、［１２］に記載の装置。
［１８］  前記第１のデバイスＡＩＤは、部分的基本サービスセット識別子（ＢＳＳＩＤ）で排他的ＯＲされた（ＸＯＲされた）、前記第１のＷＬＡＮプロトコルデータユニットの意図された局受信者の部分的ＡＩＤを備える、［１１］に記載の装置。
［１９］  前記第１のデバイスＡＩＤは、前記第１のＷＬＡＮプロトコルデータユニットの意図されたアクセスポイント（ＡＰ）受信者の部分的ＢＳＳＩＤを備える、［１１］に記載の装置。
［２０］  第１のＷＬＡＮシグナリングフィールドにおいて前記第１のＢＳＳ識別子を受信することと、
第２のＷＬＡＮシグナリングフィールドにおいて前記第１のデバイスＡＩＤを受信することと、
ここにおいて、前記第１のＷＬＡＮシグナリングフィールドおよび前記第２のＷＬＡＮシグナリングフィールドは、別々に符号化される、によって、前記物理層ヘッダプロセッサは、前記第１の物理層ヘッダを受信する、［１１］に記載の装置。
［２１］  受信デバイスにおけるワイヤレス通信のための装置であって、
共用無線周波数スペクトル帯域を通して、第１のワイヤレスローカルエリアネットワーク（ＷＬＡＮ）プロトコルデータユニットの第１の物理層ヘッダを受信するための手段と、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行するための手段とを備える、装置。
［２２］  第２のＢＳＳ識別子を、前記第１のＢＳＳ識別子と比較するための手段と、前記第２のＢＳＳ識別子は、前記受信デバイスによって使用されるＢＳＳを識別しており、
前記受信デバイスの第２のデバイスＡＩＤを、前記第１のデバイスＡＩＤと比較するための手段とをさらに備え、
ここにおいて、前記フレーム内動作が、前記比較に少なくとも部分的に基づいて実行される、［２１］に記載の装置。
［２３］  前記フレーム内動作は、前記電力節約動作を備え、前記電力節約動作を実行するための手段は、前記第２のＢＳＳ識別子が前記第１のＢＳＳ識別子と合致すること、および前記第２のデバイスＡＩＤが前記第１のデバイスＡＩＤと合致しないことに少なくとも部分的に基づいて、前記第１のＷＬＡＮプロトコルデータユニットの残りに対して、電力節約モードに入るための手段を備える、［２２］に記載の装置。
［２４］  ブロードキャスト／マルチキャストＡＩＤを、前記第１のデバイスＡＩＤと比較するための手段をさらに備え、
ここにおいて、前記第１のＷＬＡＮプロトコルデータユニットの前記残りに対して、前記電力節約モードに入ることは、さらに、前記ブロードキャスト／マルチキャストＡＩＤが前記第１のデバイスＡＩＤと合致しないことに、少なくとも部分的に基づく、［２３］に記載の装置。
［２５］  前記フレーム内動作は、受信フィルタリング動作を備え、前記受信フィルタリング動作を実行するための手段は、
前記第２のＢＳＳ識別子が前記第１のＢＳＳ識別子と合致しないことに、少なくとも部分的に基づいて、前記第１のＷＬＡＮプロトコルデータユニットの復号を中止するための手段と、
前記第２のデバイスＡＩＤが前記第１のデバイスＡＩＤと合致しないことに、少なくとも部分的に基づいて、前記第１のＷＬＡＮプロトコルデータユニットの前記復号を中止するための手段とを備える、［２２］に記載の装置。
［２６］  前記フレーム内動作は、受信フィルタリング動作を備え、前記装置は、
ブロードキャスト／マルチキャストＡＩＤを、前記第１のデバイスＡＩＤと比較するための手段をさらに備え、ここにおいて、前記受信フィルタリング動作を実行することは、
前記第２のＢＳＳ識別子が前記第１のＢＳＳ識別子と合致しないことに、少なくとも部分的に基づいて、前記第１のＷＬＡＮプロトコルデータユニットの復号を中止するための手段と、
前記第２のデバイスＡＩＤが前記第１のデバイスＡＩＤと合致しないこと、および前記ブロードキャスト／マルチキャストＡＩＤが前記第１のデバイスＡＩＤと合致しないことに、少なくとも部分的に基づいて、前記第１のＷＬＡＮプロトコルデータユニットの前記復号を中止するための手段とを備える、［２２］に記載の装置。
［２７］  前記第１のデバイスＡＩＤは、部分的基本サービスセット識別子（ＢＳＳＩＤ）で排他的ＯＲされた（ＸＯＲされた）前記第１のＷＬＡＮプロトコルデータユニットの意図された局受信者の部分的ＡＩＤを備える、［２１］に記載の装置。
［２８］  前記第１のデバイスＡＩＤは、前記第１のＷＬＡＮプロトコルデータユニットの意図されたアクセスポイント（ＡＰ）受信者の部分的ＢＳＳＩＤを備える、［２１］に記載の装置。
［２９］  受信デバイスにおいて、ワイヤレス通信のためのコードを記憶する非一時的コンピュータ可読媒体であって、前記コードは、前記受信デバイスに、
共用無線周波数スペクトル帯域を通して、第１のワイヤレスローカルエリアネットワーク（ＷＬＡＮ）プロトコルデータユニットの第１の物理層ヘッダを受信させ、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行させるように実施可能な命令を備える、非一時的コンピュータ可読媒体。
［３０］  非一時的コンピュータ可読媒体であって、前記コードは、前記受信デバイスに、
第２のＢＳＳ識別子を、前記第１のＢＳＳ識別子と比較させ、前記第２のＢＳＳ識別子は、前記受信デバイスによって使用されるＢＳＳを識別しており、
前記受信デバイスの第２のデバイスＡＩＤを、前記第１のデバイスＡＩＤと比較させるように実施可能な命令をさらに備え、
ここにおいて、前記フレーム内動作が、前記比較に少なくとも部分的に基づいて実行される、［２９］に記載の非一時的コンピュータ可読媒体。
【図１】
0006728235.tif 000002
【図２】
0006728235.tif 000003
【図３】
0006728235.tif 000004
【図４】
0006728235.tif 000005
【図５】
0006728235.tif 000006
【図６】
0006728235.tif 000007
【図７】
0006728235.tif 000008
【図８】
0006728235.tif 000009
【図９】
0006728235.tif 000010
【図１０】
0006728235.tif 000011